(57)【要約】【課題】サーモグラフィを用いる認証用文字列の不正な取得を防止する。【解決手段】本発明は、認証用文字列の入力用に、それぞれ操作面に手の指先を接触させるようにして押下操作可能な複数の操作キーと、認証用文字列が入力される際、複数の操作キーの操作面の温度を変化させてほぼ等しくする温度変化部とを設けることにより、認証用文字列の入力のために複数の操作キーが、その操作面に手の指先を接触させるようにして押下操作され際に、サーモグラフィで当該複数の操作キーの操作面の温度が検出されたとしても、操作面の温度では押下操作された操作キーを判別し得なくすることができ、サーモグラフィを用いる認証用文字列の不正な取得を防止することができる。【選択図】図４
2014016767.tif 000002
【特許請求の範囲】
【請求項１】
認証用文字列の入力用に、それぞれ操作面に手の指先を接触させるようにして押下操作可能な複数の操作キーと、
上記認証用文字列が入力される際、上記複数の操作キーの上記操作面の温度を変化させてほぼ等しくする温度変化部と
を具える入力装置。
【請求項２】
上記温度変化部は、
上記複数の操作キーをそれぞれ加熱するための複数の発熱素子と、
上記認証用文字列が入力される際、上記複数の発熱素子を発熱させて上記複数の操作キーを加熱する加熱処理部と
を具える請求項１に記載の入力装置。
【請求項３】
上記温度変化部は、
上記複数の操作キーの上記操作面の温度をそれぞれ検出するための複数の温度センサ
を具え、
上記加熱処理部は、
上記複数の温度センサを介して上記複数の操作キーの上記操作面の温度をそれぞれ検出し、当該検出した温度をそれぞれ、上記操作面の温度を変化させるために予め選定された目標温度と比較する
請求項２に記載の入力装置。
【請求項４】
上記加熱処理部は、
上記複数の温度センサを介して検出した上記複数の操作キーの上記操作面の温度をそれぞれ上記目標温度と比較して得られる比較結果に応じて、上記複数の発熱素子の発熱量を変更する
請求項３に記載の入力装置。
【請求項５】
上記加熱処理部は、
上記複数の温度センサを介して検出した上記複数の操作キーの上記操作面の温度が上記目標温度よりも低いほど、上記複数の発熱素子の発熱量を増加させるように変更する
請求項４に記載の入力装置。
【請求項６】
上記加熱処理部は、
上記認証用文字列が入力される際、上記複数の発熱素子を発熱させて上記複数の操作キーを加熱することにより、当該複数の操作キーの上記操作面の少なくとも一部の温度を変化させる
請求項５に記載の入力装置。
【請求項７】
紙葉類の特定の取扱に必要な認証用文字列の入力用に、それぞれ操作面に手の指先を接触させるようにして押下操作可能な複数の操作キーと、
上記認証用文字列が入力される際、上記複数の操作キーの上記操作面の温度を変化させてほぼ等しくする温度変化部と
を具える紙葉類取扱装置。
【発明の詳細な説明】
【技術分野】
【０００１】
本発明は入力装置及び紙葉類取扱装置に関し、例えば、認証用文字列の入力用に押下操作可能な複数の操作キーを有する入力部が設けられた現金自動預払機（ATM：Automatic  Teller  Machine）に適用して好適なものである。
【背景技術】
【０００２】
従来、この種の現金自動預払機を利用する顧客には、個人認証用として所定桁の数字でなる認証用文字列（以下、これを暗証番号とも呼ぶ）が割り当てられている。
【０００３】
そして現金自動預払機は、出金時、顧客に入力部の複数の操作キーを、当該操作キーの操作面に手の指先を接触させるようにして順に押下操作させて暗証番号を入力させ、当該入力された暗証番号に基づき顧客が認証されると、現金を出金している。
【０００４】
ただし、顧客の認証に用いられる暗証番号は、第三者により不正に取得されると、その第三者により、顧客に成り済まして現金が不正に引き出されるような犯罪に悪用される可能性がある。
【０００５】
そして最近では、顧客が現金自動預払機を利用して現金を出金するために暗証番号を入力する際、第三者が実際に、その顧客の暗証番号を不正に取得しようとした種々の手口が確認されている。
【０００６】
このため従来、この種の現金自動預払機としては、このような暗証番号の不正な取得の手口に対処して、当該暗証番号の不正な取得を防止し得るように構成されたものがある。
【０００７】
ここで、すでに確認されている暗証番号の不正な取得の手口には、例えば、現金自動預払機の入力部に、その外観形状や操作キーの配列を似せて形成された偽の入力部を被せるように取り付け、顧客に当該偽の入力部を現金自動預払機の入力部であると思わせて操作させ、暗証番号を不正に取得しようとするものがある。
【０００８】
そして、このような暗証番号の不正な取得の手口に対処すべく構成された現金自動預払機は、入力部が偽の入力部によって覆われることに着目して、出金時、暗証番号を入力させる前に、入力部の所定の操作キーを発光させて顧客に押下操作させるように促す。
【０００９】
すなわち、現金自動預払機は、入力部が偽の入力部によって覆われていないと、顧客に、発光している操作キーを確認させて指示通りに押下操作させることができる。
【００１０】
これに対し現金自動預払機は、入力部が偽の入力部によって覆われていると、顧客に、発光している操作キーを確認させることができず指示通りに押下操作させることができなくなる。
【００１１】
よって係る構成の現金自動預払機は、出金時、顧客により、発光している操作キーが押下操作された場合のみ引き続き暗証番号の入力を促し、当該操作キーが押下操作されなければ、暗証番号を入力しないように指示する。
【００１２】
このようにして係る構成の現金自動預払機は、入力部に偽の入力部が被せるように取り付けられても、顧客の暗証番号が不正に取得されることを防止していた（例えば、特許文献１参照）。
【００１３】
ところで、近年、米国カリフォルニア大学のKeaton  Moweryらの研究チームにより、操作キーの操作面に手の指先が接触すると、当該操作面の温度が指先の接触によって変化するため、顧客により複数の操作キーが押下操作されて暗証番号が入力されたとき、図２３に示すようにサーモグラフィを用いて複数の操作キーの操作面の温度を検出すれば、その検出結果をもとに、押下操作された操作キーと、その押下操作の順番とを解析して暗証番号を特定し得ることが報告された（非特許文献１参照）。
【００１４】
すなわち、現金自動預払機において顧客により複数の操作キーが押下操作されて暗証番号が入力されたときに、サーモグラフィを用いて複数の操作キーの操作面の温度を検出することは、第三者が顧客の暗証番号を不正に取得するための新たな手口になり得ることが報告された。
【先行技術文献】
【特許文献】
【００１５】
【特許文献１】特開２０１１−１００３８３公報（第６頁、第７頁、図６）
【非特許文献】
【００１６】
【非特許文献１】Keaton  Mowery、Sarah  Meiklejohn、Stefan  Savage「Heat  of  the  Moment：Characterizing  the  Efficacy  of  Thermal  Camera-Based  Attacks」、インターネット〈URL：http://static.usenix.org/events/woot11/tech/final_files/Mowery.pdf〉
【発明の概要】
【発明が解決しようとする課題】
【００１７】
ところが、このような米国カリフォルニア大学のKeaton  Moweryらの研究チームによる報告があるにも関わらず、第三者によりサーモグラフィが用いられて暗証番号が不正に取得されるような場合を想定して、暗証番号の不正な取得を防止するように構成された現金自動預払機は未だ存在していないという問題があった。
【００１８】
本発明は以上の点を考慮してなされたもので、サーモグラフィを用いる認証用文字列の不正な取得を防止し得る入力装置及び紙葉類取扱装置を提案しようとするものである。
【課題を解決するための手段】
【００１９】
かかる課題を解決するため本発明においては、認証用文字列の入力用に、それぞれ操作面に手の指先を接触させるようにして押下操作可能な複数の操作キーと、認証用文字列が入力される際、複数の操作キーの操作面の温度を変化させてほぼ等しくする温度変化部とを設けるようにした。
【００２０】
従って本発明では、認証用文字列の入力のために複数の操作キーが、その操作面に手の指先を接触させるようにして押下操作され際に、サーモグラフィで当該複数の操作キーの操作面の温度が検出されたとしても、操作面の温度では押下操作された操作キーを判別し得なくすることができる。
【発明の効果】
【００２１】
本発明によれば、認証用文字列の入力用に、それぞれ操作面に手の指先を接触させるようにして押下操作可能な複数の操作キーと、認証用文字列が入力される際、複数の操作キーの操作面の温度を変化させてほぼ等しくする温度変化部とを設けるようにしたことにより、認証用文字列の入力のために複数の操作キーが、その操作面に手の指先を接触させるようにして押下操作され際に、サーモグラフィで当該複数の操作キーの操作面の温度が検出されたとしても、操作面の温度では押下操作された操作キーを判別し得なくすることができ、かくしてサーモグラフィを用いる認証用文字列の不正な取得を防止し得る入力装置及び紙葉類取扱装置を実現することができる。
【図面の簡単な説明】
【００２２】
【図１】第１の実施の形態による現金自動預払機の外観構成を示す略線的斜視図である。
【図２】第１の実施の形態による現金自動預払機の内部構成を示す略線的側面図である。
【図３】第１の実施の形態による入力部の外観構成を示す略線的上面図である。
【図４】第１の実施の形態による入力部の内部構成を示す略線的断面図である。
【図５】第１の実施の形態による温度変化部の構成を示すブロック図である。
【図６】複数の番号入力用操作キーの加熱による操作面の温度の変化の説明に供する略線図である。
【図７】第１暗証番号入力処理手順（１）を示すフローチャートである。
【図８】第１暗証番号入力処理手順（２）を示すフローチャートである。
【図９】第２の実施の形態による現金自動預払機の外観構成を示す略線的斜視図である。
【図１０】第２の実施の形態による現金自動預払機の内部構成を示す略線的側面図である。
【図１１】第２の実施の形態による入力部の内部構成を示す略線的断面図である。
【図１２】第２の実施の形態による温度変化部の構成を示すブロック図である。
【図１３】第２暗証番号入力処理手順（１）を示すフローチャートである。
【図１４】第２暗証番号入力処理手順（２）を示すフローチャートである。
【図１５】第２暗証番号入力処理手順（３）を示すフローチャートである。
【図１６】他の実施の形態による番号入力用操作キーの構成を示す略線的上面図である。
【図１７】他の実施の形態による第３暗証番号入力処理手順（１）を示すフローチャートである。
【図１８】他の実施の形態による第３暗証番号入力処理手順（２）を示すフローチャートである。
【図１９】他の実施の形態による第３暗証番号入力処理手順（３）を示すフローチャートである。
【図２０】他の実施の形態による入力部の内部構成を示す略線的断面図である。
【図２１】他の実施の形態による複数の番号入力用操作キーの加熱（１）の説明に供する略線的上面図である。
【図２２】他の実施の形態による複数の番号入力用操作キーの加熱（２）の説明に供する略線的上面図である。
【図２３】サーモグラフィを用いた複数の操作キーに対する操作面の温度の検出の説明に供する略線的上面図である。
【発明を実施するための形態】
【００２３】
以下図面を用いて、発明を実施するための最良の形態（以下、これを実施の形態とも呼ぶ）について説明する。なお、説明は以下の順序で行う。
（１）第１の実施の形態
（２）第２の実施の形態
（３）他の実施の形態
【００２４】
（１）第１の実施の形態
（１−１）現金自動預払機の外観構成
図１において、１は全体として本発明を適用し、例えば、屋内に設置され、現金としての紙幣を扱う現金自動預払機の外観構成を示す。かかる現金自動預払機１は、略箱型の筐体（以下、これを預払機筐体とも呼ぶ）２を有している。
【００２５】
因みに、以下の説明では、現金自動預払機１を、預払機筐体２の前面２Ａと対峙して見た場合の図中に矢印ａ１で示す左の方向を、預払機左方向とも呼び、当該預払機左方向とは逆の方向を、預払機右方向とも呼ぶ。
【００２６】
そして、以下の説明では、預払機左方向及び預払機右方向を特に区別する必要がない場合、これらをまとめて預払機左右方向とも呼ぶ。
【００２７】
また、以下の説明では、現金自動預払機１を、預払機筐体２の前面２Ａと対峙して見た場合の図中に矢印ｂ１で示す上の方向を、預払機上方向とも呼び、当該預払機上方向とは逆の方向を、預払機下方向とも呼ぶ。
【００２８】
そして、以下の説明では、預払機上方向及び預払機下方向を特に区別する必要がない場合、これらをまとめて預払機上下方向とも呼ぶ。
【００２９】
さらに、以下の説明では、現金自動預払機１を、預払機筐体２の前面２Ａと対峙して見た場合の図中に矢印ｃ１で示す手前の方向を、預払機前方向とも呼び、当該預払機前方向とは逆の方向を、預払機後方向とも呼ぶ。
【００３０】
そして、以下の説明では、預払機前方向及び預払機後方向を特に区別する必要がない場合、これらをまとめて預払機前後方向とも呼ぶ。
【００３１】
預払機筐体２の前上端部には、前面２Ａよりも後面２Ｂ側に凹むように略Ｌ字状に形成されたフロントパネル３が設けられている。
【００３２】
フロントパネル３において預払機上方向に向く上向パネル３Ａには、例えば、中央後端部に、開閉可能なシャッタを有する紙幣投入取出部５が設けられている。
【００３３】
またフロントパネル３において上向パネル３Ａには、例えば、中央前端部に、押下操作可能な複数の操作キーを有する入力部６が、これら複数の操作キーの操作面をそれぞれ預払機上方向に向けて配置されている。
【００３４】
ここで、入力部６は、例えば、ＰＣＩ（Payment  Card  Industry）の規格に準じて形成されたピンパッドであり、操作キーを押下操作させて数字や、入力内容の確定及び訂正、また取引の取消等のように種々の情報を入力させることができる。
【００３５】
一方、フロントパネル３において預払機前方向に向く前向パネル３Ｂには、例えば、中央部に種々の内容の取引手順案内画像を適宜切り換えて表示するための液晶ディスプレイのような表示部７が配置されている。
【００３６】
またフロントパネル３において前向パネル３Ｂには、例えば、表示部７の左下に、取引の際にキャッシュカードやクレジットカード等の種々のカードを挿入及び排出するためのカード挿入排出口８が設けられている。
【００３７】
因みに、預払機筐体２の上端部内には、カード挿入排出口８に挿入されたカードから、これに予め記録されている例えば、顧客の口座番号を読み取るカード処理部（図示せず）が設けられている。
【００３８】
さらにフロントパネル３において前向パネル３Ｂには、例えば、表示部７の右下に、取引の際に通帳を挿入し、また当該通帳や取引明細書を排出するための通帳挿入排出口９が設けられている。
【００３９】
因みに、預払機筐体２の上端部内には、通帳挿入排出口９に挿入された通帳や、予め装填されている取引明細書に取引内容等を印刷する印刷処理部（図示せず）が設けられている。
【００４０】
さらにまたフロントパネル３において前向パネル３Ｂには、例えば、表示部７の上に、複数の微細な孔部３ＢＸが所定パターンで穿設されている。
【００４１】
そして預払機筐体２の上端部内の前寄りには、スピーカが前向パネル３Ｂの複数の孔部３ＢＸと対向させて配置されている。
【００４２】
これにより現金自動預払機１は、顧客が取引のために現金自動預払機１の入力部６と対峙した場合、スピーカから放音される音声を前向パネル３Ｂの複数の孔部３ＢＸを介して前面２Ａ側に出力して聴かせることができる。
【００４３】
これに加えて預払機筐体２は、前面２Ａの中央部の所定位置（すなわち、入力部６の下側）に窓部２ＡＸが設けられている。
【００４４】
そして預払機筐体２の下端部内の前寄りには、顧客が現金自動預払機１に近づいて入力部６と対峙した（すなわち、顧客が前面２Ａに対し所定距離内まで近づいた）か否かを検出するための近接センサが窓部２ＡＸと対向させて配置されている。
【００４５】
これにより現金自動預払機１は、近接センサを介して、顧客が現金自動預払機１に近づいて入力部６と対峙したか、また顧客が現金自動預払機１の前から離れたかを検出することができる。
【００４６】
ところで、現金自動預払機１は、例えば、金融機関に設置された図示しない認証装置に、図示しない所定のネットワークを介して接続されている。
【００４７】
因みに、認証装置は、例えば、取引用の口座を開設した複数の顧客それぞれの氏名や口座番号、当該顧客に個人認証用として割り当てられた所定桁の数字でなる認証用文字列（以下、これを暗証番号とも呼ぶ）等からなる顧客情報を記憶保持している。
【００４８】
現金自動預払機１は、係る構成のもと、顧客が現金自動預払機１に近づいて入力部６と対峙すると、表示部７に取引手順案内画像を表示すると共に、その際の顧客の対応（すなわち、カードの挿入や入力部６の複数の操作キーに対する押下操作等）に応じて、表示部７に表示する取引手順案内画像を順次切り換える。
【００４９】
このようにして現金自動預払機１は、表示部７に順次切り換えて表示する取引手順案内画像によって、顧客に所望の取引（紙幣の出金や入金）の手順を案内する。
【００５０】
これにより現金自動預払機１は、顧客に、その手順の案内に従いカード挿入排出口８や通帳挿入排出口９にカードや通帳を挿入させると共に、入力部６を介して暗証番号を適宜入力させて、認証装置に、その暗証番号に基づき顧客を認証させる。
【００５１】
そして現金自動預払機１は、顧客に紙幣投入取出部５から出金用の紙幣を取り出させ、また紙幣投入取出部５に入金用の紙幣を投入させた後、カード挿入排出口８や通帳挿入排出口９から排出したカードや、通帳又は取引明細書を受け取らせる。このようにして現金自動預払機１は、顧客の所望する紙幣の出金や入金の取引を行うことができる。
【００５２】
（１−２）現金自動預払機の内部構成
次いで、図２を用いて、現金自動預払機１の内部構成について説明する。図２に示すように、現金自動預払機１の預払機筐体２内には、当該現金自動預払機１全体を統括制御すると共に、各種処理を実行する例えば、マイクロコンピュータ構成の主制御部２０が収納されている。
【００５３】
また預払機筐体２内には、上述したようにカード処理部（図示せず）及び印刷処理部（図示せず）が収納されると共に、上述した認証装置（図示せず）と通信するためのネットワークインタフェース２１も収納されている。
【００５４】
さらに預払機筐体２内には、上述したように上向パネル３Ａの中央前端部に入力部６が、複数の操作キーの操作面を外部に露出させて配置されると共に、前向パネル３Ｂの中央部に表示部７が、その表示画面を外部に露出させて配置されている。
【００５５】
さらにまた預払機筐体２内には、上述したように上端部の前寄りにスピーカ２２が収納されると共に、下端部の前寄りに例えば、赤外線の発光素子及び受光素子を有する赤外線センサでなる上述の近接センサ２３が収納されている。
【００５６】
この場合、近接センサ２３は、発光素子から発射した赤外線を前面２Ａの窓部２ＡＸを介して預払機筐体２の前側に出力し、当該前面２Ａに対し所定距離内に近接した顧客の体により赤外線が反射されたときにのみ、その反射した赤外線を受光素子で受光するように構成されている。
【００５７】
そして近接センサ２３は、センサ出力信号のレベルを、発光素子から発射した赤外線が預払機筐体２の前面２Ａに近接した顧客の体で反射して受光素子で受光している間は、例えば、論理「Ｈ」レベルに立ち上げる。
【００５８】
また近接センサ２３は、センサ出力信号のレベルを、発光素子から発射した赤外線が何ら反射しないために受光素子で受光していない間は、例えば、論理「Ｌ」レベルに立ち下げる。
【００５９】
よって近接センサ２３は、センサ出力信号のレベルにより、顧客が現金自動預払機１に近づいて入力部６と対峙したか、また顧客が現金自動預払機１の前から離れたかを検出可能にしている。
【００６０】
これに加えて預払機筐体２内には、下端部に出金処理及び入金処理等の際に紙幣を処理する紙幣処理ユニット２５も収納されている。
【００６１】
そして主制御部２０には、これらネットワークインタフェース２１、入力部６、表示部７、スピーカ２２、近接センサ２３、カード処理部、印刷処理部及び紙幣処理ユニット２５がそれぞれ接続されている。
【００６２】
ここで、紙幣処理ユニット２５内には、上向パネル３Ａに対向させて上述の紙幣投入取出部５が配置されると共に、当該紙幣投入取出部５の後斜下に鑑別部２６が配置され、紙幣投入取出部５及び鑑別部２６の後側に一時保留部２７が配置されている。
【００６３】
また紙幣処理ユニット２５内には、紙幣投入取出部５、鑑別部２６及び一時保留部２７の下側に出金用及び入金用の複数の紙幣を金種別に収納する（すなわち、それぞれ特定の１金種の紙幣のみを収納する）ための複数の紙幣収納庫３０乃至３３が配置されている。
【００６４】
さらに紙幣処理ユニット２５内には、例えば、複数の紙幣収納庫３０乃至３３の後側に、これら複数の紙幣収納庫３０乃至３３に紙幣を補充し、また当該複数の紙幣収納庫３０乃至３３から紙幣を回収するための補充回収庫３４が着脱可能に装填されている。
【００６５】
因みに、補充回収庫３４には、例えば、複数の紙幣収納庫３０乃至３３に対する補充回収用の複数の紙幣を収納する紙幣収納部と共に、破損している紙幣や折れ曲がっている紙幣等のような異常な紙幣を収納するための紙幣収納部が設けられている。
【００６６】
なお、以下の説明では、破損している紙幣や折れ曲がっている紙幣等のような異常な紙幣を、特に正常な紙幣とは区別して適宜、リジェクト紙幣とも呼ぶ。
【００６７】
また、以下の説明では、補充回収庫３４においてリジェクト紙幣を収納する紙幣収納部を、特にリジェクト収納部とも呼ぶ。
【００６８】
さらに紙幣処理ユニット２５内には、紙幣投入取出部５、鑑別部２６、一時保留部２７、複数の紙幣収納庫３０乃至３３及び補充回収庫３４の間に、搬送ガイドやローラ等の複数種類の搬送路形成部品を有する紙幣搬送部が配置されている。
【００６９】
そして紙幣搬送部は、複数種類の搬送路形成部品により、紙幣投入取出部５、鑑別部２６、一時保留部２７、複数の紙幣収納庫３０乃至３３及び補充回収庫３４の間で紙幣を、搬送先を適宜切り換えて搬送するための搬送路３５を形成している。
【００７０】
主制御部２０は、係る構成のもと、内部のメモリに予め記憶されている第１取引案内処理プログラムに従ってネットワークインタフェース２１、入力部６、表示部７、スピーカ２２及び近接センサ２３を制御して、顧客に取引の手順を案内する第１取引案内処理を実行する。
【００７１】
また主制御部２０は、第１取引案内処理の実行中に、顧客により所望の取引として出金や入金が要望されると、内部のメモリに予め記憶されている出金処理プログラムや入金処理プログラムに従って紙幣処理ユニット２５を制御して紙幣の出金処理や入金処理も実行する。
【００７２】
主制御部２０は、例えば、取引業務の開始やメンテナンスの完了に応じて外部から作業者により起動が指示されると、これに応じて起動して第１取引案内処理プログラムに従い第１取引案内処理を開始する。
【００７３】
主制御部２０は、第１取引案内処理の開始直後は、顧客を待ち受ける待受モードになり、表示部７を消灯したまま、近接センサ２３を動作させる。
【００７４】
これにより主制御部２０は、近接センサ２３から与えられるセンサ出力信号のレベルに基づき、顧客が現金自動預払機１に近づいて入力部６と対峙したか否かを検出する。
【００７５】
そして主制御部２０は、近接センサ２３を介して、顧客が現金自動預払機１に近づいていないことを検出している間は、表示部７を消灯したまま、顧客の来訪（すなわち、顧客が現金自動預払機１に近づいて入力部６と対峙すること）を待ち受ける。
【００７６】
この状態で主制御部２０は、近接センサ２３を介して、顧客が現金自動預払機１に近づいて入力部６と対峙したことを検出すると、待受モードから案内モードに移行する。
【００７７】
そして主制御部２０は、このように待受モードから案内モードに移行すると、内部のメモリに予め記憶している受付音声データをスピーカ２２に送出する。
【００７８】
これにより主制御部２０は、スピーカ２２を介して受付音声データに基づく例えば、「いらっしゃいませ」というような受付音声を出力して、顧客への対応を開始したことを通知する。
【００７９】
次いで、主制御部２０は、内部のメモリに予め記憶している複数の取引手順案内画像データのうち例えば、カード及び通帳の挿入を促すための取引手順案内画像の取引手順案内画像データを表示部７に送出する。
【００８０】
因みに、以下の説明では、カード及び通帳の挿入を促すための取引手順案内画像を、カード挿入案内画像とも呼び、当該カード挿入案内画像の取引手順案内画像データを、カード挿入案内画像データとも呼ぶ。
【００８１】
これにより主制御部２０は、表示部７にカード挿入案内画像データに基づき例えば、「カードを挿入してください。また通帳をお持ちの場合は、その通帳も合わせて挿入してください」というような案内文を有するカード挿入案内画像を表示して顧客にカード及び通帳の挿入を促す。
【００８２】
その結果、主制御部２０は、顧客により、例えば、少なくともカード挿入排出口８にカードが挿入されると、カード処理部により、そのカードから顧客の口座番号を読み取る。
【００８３】
また主制御部２０は、このときカード挿入案内画像データに換えて、内部のメモリに予め記憶している複数の取引手順案内画像データのうち例えば、取引項目の選択を促すための取引手順案内画像の取引手順案内画像データを表示部７に送出する。
【００８４】
因みに、以下の説明では、取引項目の選択を促すための取引手順案内画像を、項目選択案内画像とも呼び、当該項目選択案内画像の取引手順案内画像データを、項目選択案内画像データとも呼ぶ。
【００８５】
これにより主制御部２０は、表示部７に対しカード挿入案内画像に換えて、項目選択案内画像データに基づき例えば、「出金の場合は「１」のキーを、また入金の場合は「２」のキーを押して取引項目を選択してください」というような案内文を有する項目選択案内画像を表示して顧客に取引項目の選択を促す。
【００８６】
ここで、主制御部２０は、顧客により入力部６の操作キーが押下操作されて取引項目として紙幣の出金が選択されると、項目選択案内画像データに換えて、内部のメモリに予め記憶している複数の取引手順案内画像データのうち例えば、暗証番号の入力を促すための取引手順案内画像の取引手順案内画像データを表示部７に送出する。
【００８７】
因みに、以下の説明では、暗証番号の入力を促すための取引手順案内画像を、暗証番号入力案内画像とも呼び、当該暗証番号入力案内画像の取引手順案内画像データを、暗証番号入力案内画像データとも呼ぶ。
【００８８】
これにより主制御部２０は、表示部７に対し項目選択案内画像に換えて、暗証番号入力案内画像データに基づき例えば、「数字キーにより暗証番号を入力してください」というような案内文を有する暗証番号入力案内画像を表示して顧客に暗証番号の入力を促す。
【００８９】
その結果、主制御部２０は、顧客により入力部６の複数の操作キーが、操作面に手の指先を接触させるようにして順に押下操作されて所定桁の暗証番号が入力されると、その暗証番号と、すでにカードから読み取っていた口座番号とを格納して顧客に対する認証処理の実行を依頼するための認証処理依頼データを生成する。
【００９０】
そして主制御部２０は、その認証処理依頼データをネットワークインタフェース２１からネットワークを介して認証装置に送信して顧客に対する認証処理を実行するように依頼する。
【００９１】
この際、認証装置は、現金自動預払機１から送信された認証処理依頼データを受信して、当該認証処理依頼データから口座番号及び暗証番号を取り出す。
【００９２】
また認証装置は、複数の顧客情報の中から、その認証処理依頼データから取り出した口座番号と同一の口座番号を含む顧客情報（すなわち、このとき現金自動預払機１に取引を要求した顧客の顧客情報）を特定する。
【００９３】
そして認証装置は、その特定した顧客情報に含まれる暗証番号と、認証処理依頼データから取り出した暗証番号とに基づいて認証処理を実行して、当該特定した顧客情報に含まれる暗証番号と、認証処理依頼データから取り出した暗証番号とを比較する。
【００９４】
その結果、認証装置は、特定した顧客情報に含まれる暗証番号と、認証処理依頼データから取り出した暗証番号とが一致すると、現金自動預払機１に取引を要求した顧客を認証して、当該顧客を認証したことを、ネットワークを介して現金自動預払機１に通知する。
【００９５】
因みに、認証装置は、例えば、顧客により暗証番号が誤って入力されたため、特定した顧客情報に含まれる暗証番号と、認証処理依頼データから取り出した暗証番号とが一致しないと、現金自動預払機１に対し取引を要求した顧客を認証し得ないことを、ネットワークを介して現金自動預払機１に通知する。
【００９６】
そして主制御部２０は、認証装置から顧客を認証し得なかったことが通知されると、暗証番号入力案内画像データに換えて、内部のメモリに予め記憶している複数の取引手順案内画像データのうち例えば、暗証番号の再入力を促すための取引手順案内画像の取引手順案内画像データを表示部７に送出する。
【００９７】
因みに、以下の説明では、暗証番号の再入力を促すための取引手順案内画像を、番号再入力案内画像とも呼び、当該番号再入力案内画像の取引手順案内画像データを、番号再入力案内画像データとも呼ぶ。
【００９８】
これにより主制御部２０は、表示部７に対し暗証番号入力案内画像に換えて、番号再入力案内画像データに基づき例えば、「数字キーにより暗証番号を入力し直してください」というような案内文を有する番号再入力案内画像を表示して顧客に暗証番号の再入力を促す。
【００９９】
その結果、主制御部２０は、顧客により入力部６の操作キーが押下操作されて所定桁の暗証番号が再入力されると、その再入力された暗証番号と共に、口座番号を格納して顧客に対する認証処理を再度実行するように依頼する認証処理再依頼データを生成する。
【０１００】
そして主制御部２０は、その認証処理再依頼データをネットワークインタフェース２１からネットワークを介して認証装置に送信して顧客に対する認証処理を再度実行するように依頼する。
【０１０１】
この際、認証装置は、現金自動預払機１から送信された認証処理再依頼データを受信して、当該認証処理再依頼データから口座番号及び暗証番号を取り出す。
【０１０２】
そして認証装置は、上述と同様に顧客に対する認証処理を再度実行して、当該顧客を認証すると、その旨を、ネットワークを介して現金自動預払機１に通知する。
【０１０３】
このようにして主制御部２０は、認証装置から顧客を認証したことが通知されると、暗証番号入力案内画像データ（又は、番号再入力案内画像データ）に換えて、内部のメモリに予め記憶している複数の取引手順案内画像データのうち例えば、出金の金額の指定を促すための取引手順案内画像の取引手順案内画像データを表示部７に送出する。
【０１０４】
因みに、以下の説明では、出金の金額の指定を促すための取引手順案内画像を、金額指定案内画像とも呼び、当該金額指定案内画像の取引手順案内画像データを、金額指定案内画像データとも呼ぶ。
【０１０５】
これにより主制御部２０は、表示部７に対し暗証番号入力案内画像（又は、番号再入力案内画像）に換えて、金額指定案内画像データに基づき例えば、「操作キーにより出金する金額を指定してください」というような案内文を有する金額指定案内画像を表示して顧客に出金の金額の指定を促す。
【０１０６】
そして主制御部２０は、顧客により入力部６の複数の操作キーが押下操作されて出金の金額が指定されると、金額入力案内画像データに換えて、内部のメモリに予め記憶している複数の取引手順案内画像データのうち例えば、紙幣の出金処理中であることを通知するための取引手順案内画像の取引手順案内画像データを表示部７に送出する。
【０１０７】
因みに、以下の説明では、紙幣の出金処理中であることを通知するための取引手順案内画像を、出金処理中案内画像とも呼び、当該出金処理中案内画像の取引手順案内画像データを、出金処理中案内画像データとも呼ぶ。
【０１０８】
これにより主制御部２０は、表示部７に対し金額指定案内画像に換えて、出金処理中案内画像データに基づき例えば、「紙幣を用意しておりますので、そのままお待ちください」というような案内文を有する出金処理中案内画像を表示して顧客に出金用の紙幣が用意できるまで現金自動預払機１の前で待つように通知する。
【０１０９】
また主制御部２０は、この際、顧客による出金の金額の指定に応じて、表示部７に出金処理中案内画像を表示したまま、出金処理プログラムに従って紙幣処理ユニット２５を制御して出金処理を開始する。
【０１１０】
ここで、主制御部２０は、出金処理を開始すると、紙幣収納庫３０乃至３３の内部から、顧客により指定された金額分の紙幣を１枚ずつ繰り出し搬送路３５を介して鑑別部２６へ搬送して、当該鑑別部２６において紙幣の金種や状態等を鑑別させる。
【０１１１】
その結果、主制御部２０は、鑑別部２６から正常であると鑑別されて繰り出された紙幣については、搬送路３５を介して紙幣投入取出部５へ搬送する。
【０１１２】
ただし、主制御部２０は、この際、鑑別部２６から異常であると鑑別されて繰り出された紙幣については、リジェクト紙幣として搬送路３５を介して補充回収庫３４へ搬送してリジェクト収納部に収納し、その後の出金処理には用いないようにする。
【０１１３】
そして主制御部２０は、紙幣投入取出部５に、顧客により指定された金額分の紙幣を搬送し終えると、例えば、印刷処理部により通帳又は取引明細書に取引内容等を印刷させる。
【０１１４】
そのうえで主制御部２０は、紙幣投入取出部５のシャッタを開くと共に、カード挿入排出口８からカードを排出し、通帳挿入排出口９から取引内容が印刷された通帳又は取引明細書を排出する。
【０１１５】
また主制御部２０は、出金処理中案内画像データに換えて、内部のメモリに予め記憶している複数の取引手順案内画像データのうち例えば、紙幣を受け取るように促すための取引手順案内画像の取引手順案内画像データを表示部７に送出する。
【０１１６】
因みに、以下の説明では、紙幣を受け取るように促すための取引手順案内画像を、紙幣受取案内画像とも呼び、当該紙幣受取案内画像の取引手順案内画像データを、紙幣受取案内画像データとも呼ぶ。
【０１１７】
よって主制御部２０は、表示部７に対し出金処理中案内画像に換えて、紙幣受取案内画像データに基づき例えば、「紙幣取出口から紙幣を取り出してください。またカード、通帳もお取りください」というような案内文を有する紙幣受取案内画像を表示する。
【０１１８】
これにより主制御部２０は、顧客に紙幣投入取出部５から、指定された金額分の紙幣を取り出させるようにして受け取らせると共に、カード挿入排出口８や通帳挿入排出口９からカードや、通帳又は取引明細書を引き抜かせるようにして受け渡す。
【０１１９】
そして主制御部２０は、顧客により紙幣投入取出部５から出金用の紙幣が取り出されると、当該紙幣投入取出部５のシャッタを閉じて出金処理を終了する。
【０１２０】
そのうえで主制御部２０は、近接センサ２３を介して顧客が現金自動預払機１の前から離れたことを検出すると、表示部７を消灯して案内モードから待受モードに移行する。
【０１２１】
このようにして主制御部２０は、第１取引案内処理の実行中に、現金自動預払機１の前に立った顧客により所望する取引として紙幣の出金が選択されると、その第１取引案内処理を実行しながら紙幣の出金処理も実行して顧客に、指定された金額の紙幣を渡すことができる。
【０１２２】
ところで、主制御部２０は、上述のように表示部７に項目選択案内画像を表示した際、顧客により入力部６の操作キーが押下操作されて取引項目として紙幣の入金が選択されると、入金処理プログラムに従って紙幣処理ユニット２５を制御して入金処理を開始することにより、紙幣投入取出部５のシャッタを開く。
【０１２３】
また主制御部２０は、このとき項目選択案内画像データに換えて、内部のメモリに予め記憶している複数の取引手順案内画像データのうち例えば、入金の紙幣の投入を促すための取引手順案内画像の取引手順案内画像データを表示部７に送出する。
【０１２４】
因みに、以下の説明では、入金の紙幣の投入を促すための取引手順案内画像を、紙幣投入案内画像とも呼び、当該紙幣投入案内画像の取引手順案内画像データを、紙幣投入案内画像データとも呼ぶ。
【０１２５】
これにより主制御部２０は、表示部７に対し項目選択案内画像に換えて、紙幣投入案内画像データに基づき例えば、「紙幣投入口に入金する紙幣を投入した後、「ＥＮＴＥＲ」キーを押してください」というような案内文を有する紙幣投入案内画像を表示して顧客に紙幣投入取出部５に対する入金用の紙幣の投入を促す。
【０１２６】
そして主制御部２０は、顧客により紙幣投入取出部５に入金用の紙幣が投入された後、入力部６の操作キーが押下操作されて紙幣の投入の完了が通知されると、紙幣投入取出部５のシャッタを閉じる。
【０１２７】
また主制御部２０は、このとき紙幣投入案内画像データに換えて、内部のメモリに予め記憶している複数の取引手順案内画像データのうち例えば、紙幣の計数中であることを通知するための取引手順案内画像の取引手順案内画像データを表示部７に送出する。
【０１２８】
因みに、以下の説明では、紙幣の計数中であることを通知するための取引手順案内画像を、計数中案内画像とも呼び、当該計数中案内画像の取引手順案内画像データを、計数中案内画像データとも呼ぶ。
【０１２９】
これにより主制御部２０は、表示部７に対し紙幣投入案内画像に換えて、計数中案内画像データに基づき例えば、「紙幣を数えておりますので、そのままお待ちください」というような案内文を有する計数中案内画像を表示して顧客に紙幣の計数が完了するまで現金自動預払機１の前で待つように通知する。
【０１３０】
また主制御部２０は、このとき表示部７に計数中案内画像を表示しながら、紙幣投入取出部５から、これに投入された１又は複数の紙幣を、１枚ずつ繰り出し搬送路３５を介して鑑別部２６へ搬送して、当該鑑別部２６において、その紙幣の金種や状態等を鑑別させる。
【０１３１】
その結果、主制御部２０は、鑑別部２６から正常であると鑑別されて繰り出された紙幣については、搬送路３５を介して一時保留部２７へ搬送して一時的に保持させることにより、当該紙幣の入金を保留する。
【０１３２】
また主制御部２０は、鑑別部２６から破損や折れ等により異常であると鑑別されて繰り出された紙幣については、リジェクト紙幣として搬送路３５を介して紙幣投入取出部５へ搬送する。
【０１３３】
このようにして主制御部２０は、例えば、紙幣投入取出部５に投入された入金用の紙幣を鑑別部２６に鑑別させている間、当該鑑別部２６により正常である鑑別された紙幣の総額を、入金の金額として計数している。
【０１３４】
そして主制御部２０は、鑑別部２６において、紙幣投入取出部５内に投入された入金用の紙幣が全て鑑別されたとき、その鑑別された紙幣の中にリジェクト紙幣（すなわち、異常なために入金用の紙幣としては計数せずに紙幣投入取出部５へ搬送していた紙幣）が存在すると、紙幣投入取出部５のシャッタを開く。
【０１３５】
また主制御部２０は、このとき計数中案内画像データに換えて、内部のメモリに予め記憶している複数の取引手順案内画像データのうち例えば、計数し得なかった紙幣（すなわち、リジェクト紙幣）の返却を通知するための取引手順案内画像の取引手順案内画像データを表示部７に送出する。
【０１３６】
因みに、以下の説明では、計数し得なかった紙幣の返却を通知するための取引手順案内画像を、紙幣返却案内画像とも呼び、当該紙幣返却案内画像の取引手順案内画像データを、紙幣返却案内画像データとも呼ぶ。
【０１３７】
よって主制御部２０は、表示部７に対し計数中案内画像に換えて、紙幣返却案内画像データに基づき例えば、「数えられなかった紙幣を返却しますので、お取りください」というような案内文を有する紙幣返却案内画像を表示する。
【０１３８】
これにより主制御部２０は、顧客に紙幣投入取出部５から計数し得なかった紙幣（すなわち、リジェクト紙幣）を取り出させるようにして返却した後、当該紙幣投入取出部５のシャッタを閉じる。
【０１３９】
ところで、主制御部２０は、紙幣投入取出部５内に投入された入金用の紙幣が全て鑑別されたとき、その鑑別された紙幣の中にリジェクト紙幣が存在しないと、計数した入金の金額（すなわち、正常であると鑑別された紙幣の総額）を提示するための取引手順案内画像の取引手順案内画像データを生成する。
【０１４０】
そして主制御部２０は、計数中案内画像データに換えて、その計数した入金の金額を提示するために生成した取引手順案内画像データを表示部７に送出する。
【０１４１】
因みに、以下の説明では、計数した入金の金額を提示するための取引手順案内画像を、入金金額案内画像とも呼び、当該入金金額案内画像の取引手順案内画像データを、入金金額案内画像データとも呼ぶ。
【０１４２】
これにより主制御部２０は、表示部７に対し計数中案内画像に換えて、入金金額案内画像データに基づき例えば、「入金の金額は○○です。入金してもよろしければ「ＥＮＴＥＲ」キーを押してください。また入金を取り消す場合は「ＣＡＮＣＥＬ」キーを押してください」というような案内文を有する入金金額案内画像を表示して顧客に入金の金額を提示して確認させると共に、その金額の紙幣を入金するか否かを問い合わせる。
【０１４３】
これに対し主制御部２０は、入金用の紙幣の中にリジェクト紙幣が存在した場合は、例えば、入金用の紙幣の鑑別が終了したタイミングではなく、計数しなかった紙幣（すなわち、リジェクト紙幣）を顧客に返却して紙幣投入取出部５のシャッタを閉じると、入金金額案内画像データを生成する。
【０１４４】
そして主制御部２０は、紙幣返却案内画像データに換えて、その入金金額案内画像データを表示部７に送出する。
【０１４５】
これにより主制御部２０は、表示部７に対し紙幣返却案内画像に換えて入金金額案内画像を表示して、顧客に入金の金額を提示して確認させると共に、その金額の紙幣を入金するか否かを問い合わせる。
【０１４６】
そして主制御部２０は、入金金額案内画像を介して入金の金額を確認した顧客により入力部６の操作キーが押下操作されて紙幣の入金が指示されると、例えば、印刷処理部により通帳又は取引明細書に取引内容等を印刷させる。
【０１４７】
そのうえで主制御部２０は、カード挿入排出口８からカードを排出し、通帳挿入排出口９から取引内容が印刷された通帳又は取引明細書を排出する。
【０１４８】
また主制御部２０は、入金金額案内画像データに換えて、内部のメモリに予め記憶している複数の取引手順案内画像データのうち例えば、紙幣の入金が終了したことを通知するための取引手順案内画像の取引手順案内画像データを表示部７に送出する。
【０１４９】
因みに、以下の説明では、紙幣の入金が終了したことを通知するための取引手順案内画像を、入金終了案内画像とも呼び、当該入金終了案内画像の取引手順案内画像データを、入金終了案内画像データとも呼ぶ。
【０１５０】
よって主制御部２０は、表示部７に対し入金金額案内画像に換えて、入金終了案内画像データに基づき例えば、「入金が終了しました。カード、通帳をお取りください」というような案内文を有する入金終了案内画像を表示する。
【０１５１】
これにより主制御部２０は、カード挿入排出口８や通帳挿入排出口９からカードや、通帳又は取引明細書を引き抜かせるようにして受け渡す。
【０１５２】
そして主制御部２０は、近接センサ２３を介して顧客が現金自動預払機１の前から離れたことを検出すると、表示部７を消灯して案内モードから待受モードに移行する。
【０１５３】
また主制御部２０は、この際、顧客により紙幣の入金が指示されると、通帳又は取引明細書に対する取引内容等の印刷や取引手順案内画像の表示と並行して、一時保留部２７から一時的に保持していた紙幣（すなわち、入金用の正常な紙幣）を、１枚ずつ繰り出し搬送路３５を介して鑑別部２６へ搬送して、当該鑑別部２６において再び、その紙幣の金種や状態等を鑑別させる。
【０１５４】
そして主制御部２０は、鑑別部２６から正常であると鑑別されて繰り出された紙幣については、搬送路３５を介して当該紙幣の金種に応じた紙幣収納庫３０乃至３３へ搬送して収納する。
【０１５５】
ただし、主制御部２０は、この際、鑑別部２６から異常であると鑑別されて繰り出された紙幣については、リジェクト紙幣として搬送路３５を介して補充回収庫３４へ搬送してリジェクト収納部に収納する。
【０１５６】
このようにして主制御部２０は、一時保留部２７に一時的に保持していた全ての紙幣（すなわち、入金を保留していた紙幣）の紙幣収納庫３０乃至３３や補充回収庫３４のリジェクト収納部への収納が完了すると、入金処理を終了する。
【０１５７】
そして主制御部２０は、このようにして入金処理が終了し、また顧客が現金自動預払機１の前から離れたことを検出すると、案内モードから待受モードに移行する。
【０１５８】
ところで、主制御部２０は、入金金額案内画像を介して入金の金額を確認した顧客により入力部６の操作キーが押下操作されて入金の取消が指示されると、一時保留部２７から一時的に保持していた紙幣（すなわち、入金を保留していた紙幣）を、１枚ずつ繰り出し搬送路３５を介して紙幣投入取出部５へ搬送して、当該紙幣投入取出部５のシャッタを開く。
【０１５９】
また主制御部２０は、このときカード挿入排出口８や通帳挿入排出口９からカードや通帳を排出すると共に、入金金額案内画像データに換えて、内部のメモリに予め記憶している複数の取引手順案内画像データのうち例えば、入金の取消による紙幣の返却を通知するための取引手順案内画像の取引手順案内画像データを表示部７に送出する。
【０１６０】
因みに、以下の説明では、入金の取消による紙幣の返却を通知するための取引手順案内画像を、入金取消案内画像とも呼び、当該入金取消案内画像の取引手順案内画像データを、入金取消案内画像データとも呼ぶ。
【０１６１】
これにより主制御部２０は、表示部７に対し入金金額案内画像に換えて、入金取消案内画像データに基づき例えば、「入金の取消により紙幣を返却しますので、お取りください。またカード、通帳もお取りください」というような案内文を有する入金取消案内画像を表示する。
【０１６２】
よって主制御部２０は、顧客に紙幣投入取出部５から入金用の紙幣を取り出させるようにして返却した後、当該紙幣投入取出部５のシャッタを閉じて入金処理を終了する。
【０１６３】
また主制御部２０は、カード挿入排出口８や通帳挿入排出口９からカードや、通帳又は取引明細書を引き抜かせるようにして受け渡す。
【０１６４】
そして主制御部２０は、近接センサ２３を介して顧客が現金自動預払機１の前から離れたことを検出すると、表示部７を消灯して案内モードから待受モードに移行する。
【０１６５】
このようにして主制御部２０は、第１取引案内処理の実行中に、現金自動預払機１の前に立った顧客により所望する取引として紙幣の入金が選択されると、その第１取引案内処理を実行しながら紙幣の入金処理も実行して顧客の紙幣を入金することができる。
【０１６６】
なお、現金自動預払機１は、金融機関に設置された図示しない顧客管理装置ともネットワークを介して接続されている。
【０１６７】
よって主制御部２０は、第１取引案内処理を実行した場合、カードから読み取った口座番号を用いて、ネットワークインタフェース２１及びネットワークを順次介して顧客管理装置と適宜通信している。
【０１６８】
そして主制御部２０は、顧客管理装置から顧客の口座における紙幣の出金後や入金後の残高の通知を受けて通帳や取引明細書に取引内容等を印刷している。
【０１６９】
このようにして主制御部２０は、例えば、取引業務の終了やメンテナンスの実施に応じて外部から作業者により動作の停止が指示されるまで、第１取引案内処理を実行しながら、顧客が訪れる毎に出金処理や入金処理も実行して顧客の所望する取引を実現することができる。
【０１７０】
因みに、主制御部２０は、紙幣の補充処理時や回収処理時、内部のメモリに予め記録されている補充処理プログラムや回収処理プログラムに従って紙幣処理ユニット２５を制御している。
【０１７１】
これにより主制御部２０は、紙幣の補充処理時、補充回収庫３４の紙幣収納部から紙幣を１枚ずつ繰り出し搬送路３５を介して鑑別部２６へ搬送して、当該鑑別部２６において紙幣の金種や状態等を鑑別させる。
【０１７２】
その結果、主制御部２０は、鑑別部２６から正常であると鑑別されて繰り出された紙幣については、搬送路３５を介して、その金種に応じた紙幣収納庫３０乃至３３へ搬送して収納する。
【０１７３】
ただし、主制御部２０は、この際、鑑別部２６から異常であると鑑別されて繰り出された紙幣については、リジェクト紙幣として搬送路３５を介して補充回収庫３４へ戻すように搬送してリジェクト収納部に収納する。
【０１７４】
主制御部２０は、このようにして紙幣処理ユニット２５において複数の紙幣収納庫３０乃至３３に出金処理に用いる紙幣を補充することができる。
【０１７５】
また主制御部２０は、紙幣の回収処理時、紙幣収納庫３０乃至３３から紙幣を１枚ずつ繰り出し搬送路３５を介して鑑別部２６へ搬送して、当該鑑別部２６において紙幣の金種や状態等を鑑別させる。
【０１７６】
その結果、主制御部２０は、鑑別部２６から正常であると鑑別されて繰り出された紙幣については、搬送路３５を介して補充回収庫３４へ搬送して紙幣収納部に収納する。
【０１７７】
ただし、主制御部２０は、この際、鑑別部２６から異常であると鑑別されて繰り出された紙幣については、リジェクト紙幣として搬送路３５を介して補充回収庫３４へ搬送してリジェクト収納部に収納する。
【０１７８】
主制御部２０は、このようにして紙幣処理ユニット２５において複数の紙幣収納庫３０乃至３３から紙幣を回収することができる。
【０１７９】
（１−３）入力部の外観構成及び内部構成
次いで、図３及び図４を用いて、暗証番号の入力に用いられる入力部６の外観構成と共に内部構成について説明する。
【０１８０】
因みに、図３は、入力部６を真上から見た場合の構成を示している。また、図４は、入力部６の内部を１つの操作キー４０の配置部分について見た場合の構成を示している。
【０１８１】
図３及び図４に示すように、入力部６に設けられた複数の操作キー４０は、それぞれ例えば、アルミニウムのような熱伝導率が比較的高い金属材によって、先端部よりも根元部が一回り太い段付四角柱状に形成されている。
【０１８２】
この場合、複数の操作キー４０は、それぞれ先端部の四角形状の端面４０Ａが、顧客に手の指先を接触させるようにして押下操作させるための、当該操作キー４０の操作面４０Ａになる。
【０１８３】
また複数の操作キー４０は、手の指先の大きさが異なる複数の顧客の何れもが押下操作し易いように、操作面４０Ａの広さが、例えば、一般的な大人の男性の手の第２指の指先の大きさよりも広く選定されている。
【０１８４】
そして複数の操作キー４０の操作面４０Ａには、それぞれ入力可能な情報を表す文字や文字列（すなわち、数字を表す「０」乃至「９」及び「００」や、記号を表す「．」、入力内容の確定を表す「ＥＮＴＥＲ」、入力内容の取消を表す「ＣＬＥＡＲ」、取引の取消を表す「ＣＡＮＣＥＬ」等）が描画されている。
【０１８５】
これにより複数の操作キー４０は、操作面４０Ａに描画された文字や文字列により、当該操作キー４０を介して入力可能な情報を顧客に認識させることができる。
【０１８６】
また入力部６は、例えば、略角形の本体ケース４１を有している。本体ケース４１は、ケース上端に四角形状の開口部が形成されている。
【０１８７】
そして本体ケース４１のケース上端には、例えば、当該本体ケース４１のケース上端よりも一回り大きい略四角形状のキー保持板４２が、当該キー保持板４２の中央部を固着するようにして取り付けられている。
【０１８８】
これにより本体ケース４１は、キー保持板４２の前後左右の縁部（以下、これらをまとめて保持板縁部とも呼ぶ）をケース上端の周囲（すなわち、前後左右）に張り出させるようにして、当該キー保持板４２の中央部によりケース上端の開口部が閉塞されている。
【０１８９】
ところで、キー保持板４２は、例えば、中央部の四角形の領域４２Ａが複数の操作キー４０の配置用として、上側に突出するように縁部よりも１段高い凸状に加工されている。因みに、以下の説明では、キー保持板４２の中央部の凸状の領域４２Ａを、キー配置領域４２Ａとも呼ぶ。
【０１９０】
またキー保持板４２は、キー配置領域４２Ａの上面に、操作キー４０の先端部の太さとほぼ等しい大きさを有する四角形状の複数のキー挿入孔部４２ＡＸがマトリクス状に穿設されている。
【０１９１】
そしてキー保持板４２は、キー配置領域４２Ａの複数のキー挿入孔部４２ＡＸに、それぞれ操作キー４０の先端部が下側から挿入され、当該操作キー４０の操作面４０Ａを預払機上方向へ向けてキー配置領域４２Ａの上面から突出させている。
【０１９２】
すなわち、キー保持板４２は、複数の操作キー４０において複数のキー挿入孔部４２ＡＸよりも太い根元部をキー配置領域４２Ａの下側に位置させることで、当該複数のキー挿入孔部４２ＡＸに複数の操作キー４０が上側へは抜け出ないように挿入されている。
【０１９３】
これによりキー保持板４２は、キー配置領域４２Ａに複数のキー挿入孔部４２ＡＸを介して複数の操作キー４０がマトリクス状に配置され、当該複数のキー挿入孔部４２ＡＸにより複数の操作キー４０を上下動可能に保持している。
【０１９４】
因みに、以下の説明では、キー保持板４２のキー配置領域４２Ａに配置された複数の操作キー４０において預払機下方向へ向いた根元部の端面４０Ｂを、それぞれキー下面４０Ｂとも呼ぶ。
【０１９５】
また本体ケース４１は、底面４１Ａに例えば、半導体素子のような表面実装部品が実装される多層配線基板４３が配置されている。
【０１９６】
ここで、多層配線基板４３の一面には、表面実装部品として、上述の主制御部２０の制御のもと、複数の操作キー４０の押下操作に応じた入力処理を実行する例えば、マイクロコンピュータ構成の入力処理部４４が実装されている。
【０１９７】
因みに、以下の説明では、表面実装部品として入力処理部４４が実装された多層配線基板４３を、入力用配線基板４３とも呼ぶ。
【０１９８】
また入力用配線基板４３の一面には、複数の操作キー４０のキー下面４０Ｂの中央部と対向する位置に、それぞれ導電性の金属箔でなる固定接点４５Ａが配置されている。
【０１９９】
さらに入力用配線基板４３の一面には、複数の操作キー４０のキー下面４０Ｂの中央部と対向する位置に、それぞれ表面実装部品として、導電性金属箔により弾性を有する椀状に形成されたダイアフラム４５Ｂが、固定接点４５Ａを覆うように実装されている。
【０２００】
そして入力用配線基板４３は、一面及び他面等に導電線が所定パターンで形成されている。これにより入力用配線基板４３において複数の固定接点４５Ａ及び複数のダイアフラム４５Ｂは、それぞれ入力処理部４４と導電線を介して電気的に接続されている。
【０２０１】
このようにして入力用配線基板４３の一面には、複数の操作キー４０のキー下面４０Ｂの中央部と対向する位置にそれぞれ一組の固定接点４５Ａ及びダイアフラム４５Ｂによって形成されたスイッチ４５が設けられている。
【０２０２】
また本体ケース４１内には、複数の操作キー４０と入力用配線基板４３との間に略格子状の操作連動部４６が配置されている。
【０２０３】
操作連動部４６は、格子状に組み合わせられた梁状の複数の支持部４６Ａの交差部分に、それぞれ上端部が下端部よりも一回り太い略段付四角柱状の押子４６Ｂが設けられている。
【０２０４】
そして操作連動部４６は、複数の押子４６Ｂをそれぞれ操作キー４０のキー下面４０Ｂと、当該操作キー４０の真下のスイッチ４５との間に位置させている。
【０２０５】
ここで、操作連動部４６は、ゴムのような弾性材により一体成形（すなわち、複数の支持部４６Ａと複数の押子４６Ｂとが一体に形成）されている。
【０２０６】
これにより操作連動部４６は、複数の支持部４６Ａにより複数の押子４６Ｂを個別に上下動可能に支持している。
【０２０７】
また操作連動部４６において複数の押子４６Ｂは、それぞれ例えば、上端部の太さが操作キー４０の根元部の太さとほぼ等しい太さに選定されると共に、下端部の太さがスイッチ４５のダイアフラム４５Ｂの直径よりも僅かに太く選定されている。
【０２０８】
さらに操作連動部４６において複数の押子４６Ｂは、それぞれ上端面４６ＢＸの中央部に基板配置用凹部４６ＢＹが形成されている。
【０２０９】
そして操作連動部４６は、複数の押子４６Ｂの上端面４６ＢＸの縁部を、それぞれ対応する操作キー４０のキー下面４０Ｂの縁部に当接させている。
【０２１０】
これにより操作連動部４６は、複数の押子４６Ｂにより、それぞれ対応する操作キー４０を下から支えている。
【０２１１】
ここで、操作連動部４６は、複数の操作キー４０に押し下げるような外力が何ら加えられていない場合、例えば、複数の支持部４６Ａを水平にして複数の押子４６Ｂを支持している。
【０２１２】
また操作連動部４６は、複数の押子４６Ｂの上下の長さが、それぞれ対応する操作キー４０に押し下げるような外力が何ら加えられていない場合、当該操作キー４０の段差部をキー保持板４２のキー配置領域４２Ａの下面に当接又は近接させ、かつスイッチ４５のダイアフラム４５Ｂを何ら変形させずに当該ダイアフラム４５Ｂの頂上部分に押子４６Ｂの下端面４６ＢＺを当接又は近接させるような所定長さに選定されている。
【０２１３】
因みに、複数の操作キー４０は、当該操作キー４０に押し下げるような外力が何ら加えられていない場合に段差部をキー保持板４２のキー配置領域４２Ａの下面に当接又は近接させるような位置が、情報の入力用に押下操作が開始されるときの基準位置になる。
【０２１４】
よって、以下の説明では、このように操作キー４０に押し下げるような外力が何ら加えられていない場合に段差部をキー保持板４２のキー配置領域４２Ａの下面に当接又は近接させるような当該操作キー４０の位置を、操作基準位置とも呼ぶ。
【０２１５】
従って操作連動部４６は、操作キー４０の操作面４０Ａに下方向に押すような外力が加えられて当該操作キー４０が操作基準位置から押し下げられると、その押し下げに連動して、対応する押子４６Ｂを下降させてダイアフラム４５Ｂに押し付ける。
【０２１６】
これにより操作連動部４６は、ダイアフラム４５Ｂを押子４６Ｂの押し付けによって変形させて、当該変形させたダイアフラム４５Ｂを固定接点４５Ａに機械的及び電気的に接続させてスイッチ４５をオン状態にすることができる。
【０２１７】
また操作連動部４６は、このように押し下げられていた操作キー４０の操作面４０Ａから外力が取り除かれると、ダイアフラム４５Ｂが自身の復元力によって形状を復元させるようにして、対応する押子４６Ｂを上昇させる。
【０２１８】
これにより操作連動部４６は、ダイアフラム４５Ｂを固定接点４５Ａから離隔させてスイッチ４５をオフ状態にすると共に、押子４６Ｂの上昇によって操作キー４０を押し上げて押下操作前の操作基準位置まで戻すことができる。
【０２１９】
ところで、入力部６は、キー保持板４２の保持板縁部を当該入力部６に対する預払機筐体２の上向パネル３Ａへの取付用に、本体ケース４１のケース上端の周囲に張り出させている。
【０２２０】
また預払機筐体２は、上向パネル３Ａの中央前端部に例えば、入力部６のキー保持板４２のキー配置領域４２Ａに対応する四角形状の開口部３ＡＸが形成されている。
【０２２１】
これにより入力部６は、キー保持板４２のキー配置領域４２Ａが預払機筐体２の上向パネル３Ａの開口部３ＡＸに下側から挿入された状態で保持板縁部を上向パネル３Ａの内面に固着するようにして当該上向パネル３Ａに取り付けられている。
【０２２２】
すなわち、入力部６は、預払機筐体２の上向パネル３Ａに対し、キー保持板４２のキー配置領域４２Ａと共に複数の操作キー４０の操作面４０Ａを当該上向パネル３Ａの開口部３ＡＸを介して外部に露出させるようにして取り付けられている。
【０２２３】
よって入力部６は、このように預払機筐体２の上向パネル３Ａに取り付けられた状態では、顧客に操作基準位置の複数の操作キー４０をそれぞれ、操作面４０Ａに手の指先を接触させるようにして押下操作させることができる。
【０２２４】
そして入力部６は、顧客により操作キー４０が押下操作されると、これに応じて、その押下操作された操作キー４０に対応する（すなわち、真下の）スイッチ４５をオン状態にすることができる。
【０２２５】
また入力部６は、顧客により押下操作された操作キー４０の操作面４０Ａから手の指先が離されると、これに応じて当該操作キー４０を操作基準位置に戻すことができると共に、対応するスイッチ４５をオフ状態にすることができる。
【０２２６】
ここで、入力部６において入力処理部４４は、例えば、内部のメモリに予め複数の操作キー４０に対応する複数のスイッチ４５の配置位置と、当該操作キー４０に割り当てられている入力可能な情報とを対応付けたデータテーブルを記憶している。
【０２２７】
よって入力処理部４４は、顧客により操作キー４０が押下操作されると、その操作キー４０の押下操作によってオン状態になったスイッチ４５の配置位置を検出する。
【０２２８】
また入力処理部４４は、そのオン状態になったスイッチ４５について検出した配置位置と、メモリ内のデータテーブルとに基づき、このとき押下操作された操作キー４０に割り当てられている入力可能な情報を判別する。
【０２２９】
そして入力処理部４４は、その判別した情報を主制御部２０に通知する。このようにして入力処理部４４は、顧客に複数の操作キー４０を押下操作させて暗証番号（また、他の情報）を入力させることができる。
【０２３０】
ところで、複数の操作キー４０は、現金自動預払機１の使用環境（すなわち、現金自動預払機１の周囲の温度や湿度、空気の流れの有無等であり、以下、これを預払機使用環境とも呼ぶ）によって各々の操作面４０Ａの温度がほぼ一様に変化する。
【０２３１】
また現金自動預払機１が設置される屋内については、例えば、空調設備によって預払機使用環境が調整されており、特に当該現金自動預払機１の周囲の温度となる室温が、顧客にとって快適なように体温よりも低い温度に適宜調整されている。
【０２３２】
このため複数の操作キー４０は、現金自動預払機１が屋内に設置されている場合、預払機使用環境に応じて各々の操作面４０Ａの温度が一様に、当該操作キー４０を押下操作する顧客の手の指先の温度（すなわち、体温）よりも低い温度まで低下している。
【０２３３】
そして複数の操作キー４０は、このように操作面４０Ａの温度と顧客の手の指先の温度とが異なると、押下操作された場合に操作面４０Ａにおいて少なくとも手の指先の接触部分が、当該指先の接触前や被接触部分とは異なる温度に変化する。
【０２３４】
すなわち、入力部６では、複数の操作キー４０の何れかが押下操作されると、押下操作された操作キー４０の操作面４０Ａの温度と、押下操作されていない操作キー４０の操作面４０Ａの温度とに差が生じることになる。
【０２３５】
このため、入力部６は、係る構成に加えて例えば、操作連動部４６の複数の押子４６Ｂのうち暗証番号の入力（すなわち、「０」乃至「９」の数字の入力）に利用可能な複数の操作キー４０に接触している複数の押子４６Ｂのみ、それぞれ基板配置用凹部４６ＢＹ内の中央部に、表面実装部品が実装される配線基板５０が配置されている。
【０２３６】
因みに、以下の説明では、複数の操作キー４０のうち、暗証番号の入力に利用可能な操作キー４０（すなわち、「０」乃至「９」までの数字の入力が可能な１０個の操作キー４０）を、特に番号入力用操作キー４０とも呼ぶ。
【０２３７】
また、以下の説明では、操作連動部４６の複数の押子４６Ｂのうち複数の番号入力用操作キー４０にそれぞれ接触している押子４６Ｂ（すなわち、１０個の番号入力用操作キー４０を下から支えている１０箇所の押子４６Ｂを、特に番号入力用押子４６Ｂとも呼ぶ。
【０２３８】
そして複数の配線基板５０は、それぞれ一面の中央部に表面実装部品として例えば、端子間の抵抗に電流を流して発熱させる抵抗発熱体でなる発熱素子５１Ａ乃至５１Ｊが実装され、当該発熱素子５１Ａ乃至５１Ｊの表面を、対応する番号入力用操作キー４０のキー下面４０Ｂの中央部に接触させている。
【０２３９】
因みに、以下の説明では、発熱素子５１Ａ乃至５１Ｊが実装された複数の配線基板５０を、それぞれ発熱用配線基板５０とも呼ぶ。
【０２４０】
また複数の発熱用配線基板５０は、それぞれ例えば、一面の縁部の所定位置に表面実装部品としてコネクタ（以下、これを発熱基板側コネクタとも呼ぶ）５２が実装されている。
【０２４１】
さらに複数の発熱用配線基板５０は、それぞれ一面に導電線（図示せず）が所定パターンで形成されている。
【０２４２】
これにより複数の発熱用配線基板５０では、それぞれ発熱素子５１Ａ乃至５１Ｊが発熱基板側コネクタ５２と導電線を介して電気的に接続されている。
【０２４３】
また操作連動部４６の複数の番号入力用押子４６Ｂは、それぞれ基板配置用凹部４６ＢＹの底面の所定位置から段差部までに亘るケーブル挿入孔部４６ＢＷが穿設されている。
【０２４４】
さらに入力用配線基板４３の一面には、例えば、操作連動部４６の複数の番号入力用押子４６Ｂのケーブル挿入孔部４６ＢＷと対向する位置に、それぞれ表面実装部品としてコネクタ（以下、これを入力基板側コネクタとも呼ぶ）５３が実装されている。
【０２４５】
さらにまた入力用配線基板４３の一面には、表面実装部品として、複数の発熱素子５１Ａ乃至５１Ｊを発熱させて複数の番号入力用操作キー４０を加熱する例えば、マイクロコンピュータ構成の加熱処理部５４が実装されている。
【０２４６】
そして入力用配線基板４３において加熱処理部５４は、入力基板側コネクタ５３と導電線を介して電気的に接続されている。
【０２４７】
そのうえで複数の入力基板側コネクタ５３には、それぞれフラットケーブルのような接続ケーブル５５の一端部が機械的及び電気的に接続されている。
【０２４８】
また複数の接続ケーブル５５の他端部は、それぞれ一端部が接続された入力基板側コネクタ５３の真上に位置する番号入力用押子４６Ｂのケーブル挿入孔部４６ＢＷに通された後、当該番号入力用押子４６Ｂの基板配置用凹部４６ＢＹ内で発熱用配線基板５０の発熱基板側コネクタ５２に機械的及び電気的に接続されている。
【０２４９】
これにより入力部６において加熱処理部５４は、複数の入力基板側コネクタ５３、複数の接続ケーブル５５及び複数の発熱基板側コネクタ５２を順次介して複数の発熱素子５１Ａ乃至５１Ｊに電気的に接続されている。
【０２５０】
そして入力部６において加熱処理部５４は、顧客により暗証番号が入力される際、主制御部２０の制御のもと、複数の発熱素子５１Ａ乃至５１Ｊを発熱させて複数の番号入力用操作キー４０を加熱することにより、当該複数の番号入力用操作キー４０各々の操作面４０Ａ全体の温度を上昇させてほぼ等しくしている。
【０２５１】
これにより加熱処理部５４は、顧客により複数の番号入力用操作キー４０の何れかが順に押下操作されて暗証番号が入力されても、この際、押下操作された番号入力用操作キー４０の操作面４０Ａの温度が、押下操作されなかった番号入力用操作キー４０の操作面４０Ａの温度と異なるように変化することを防止することができる。
【０２５２】
よって加熱処理部５４は、顧客により暗証番号に入力された際、第三者によりサーモグラフィが用いられて複数の番号入力用操作キー４０の操作面４０Ａの温度が検出されたとしても、その検出した温度からは、暗証番号の入力用に押下操作された番号入力用操作キー４０や、当該番号入力用操作キー４０の押下操作の順番を特定し得なくすることができる。
【０２５３】
（１−４）温度変化部の構成
次いで、図５を用いて、顧客により複数の番号入力用操作キー４０が押下操作されて暗証番号が入力される際、入力部６において複数の発熱素子５１Ａ乃至５１Ｊを介して複数の番号入力用操作キー４０の操作面４０Ａの温度を変化させてほぼ等しくするための、複数の発熱素子５１Ａ乃至５１Ｊ及び加熱処理部５４からなる温度変化部６０の構成について具体的に説明する。
【０２５４】
この場合、加熱処理部５４には、電流値設定回路６１と、デジタルアナログ変換回路６２とが設けられている。
【０２５５】
また加熱処理部５４には、主制御部２０の制御のもと、加熱処理部５４全体を統括制御する制御部（以下、これを温度制御部とも呼ぶ）６３も設けられている。
【０２５６】
そして温度制御部６３は、例えば、内部のメモリに予め記憶されている第１温度変化処理プログラムに従い、電流値設定回路６１及びデジタルアナログ変換回路６２と共に、複数の発熱素子５１Ａ乃至５１Ｊを発熱させて複数の番号入力用操作キー４０の操作面４０Ａの温度を上昇させるための第１温度変化処理を実行する。
【０２５７】
ただし、入力部６では、複数の発熱素子５１Ａ乃至５１Ｊを介して複数の番号入力用操作キー４０を加熱して操作面４０Ａの温度を上昇させる際の、当該操作面４０Ａの目標温度が予め選定されている。
【０２５８】
係る目標温度は、上述のように複数の番号入力用操作キー４０の操作面４０Ａの温度と、顧客の手の指先の温度とに差があると、押下操作された番号入力用操作キー４０の操作面４０Ａにおいて少なくとも手の指先の接触部分の温度が変化することから、例えば、手の指先の温度とほぼ等しい所定温度に選定されている。
【０２５９】
すなわち、目標温度は、番号入力用操作キー４０の操作面４０Ａに手の指先が接触しても、当該操作面４０Ａの温度をほとんど変化させないように、又は手の指先の接触部分の温度が変化しても、その温度の変化を速やかに変化前の状態に戻すようにして打ち消すことができるように、手の指先の温度（例えば、体温）とほぼ等しい所定温度（例えば、３４℃乃至３６℃程度）に選定されている。
【０２６０】
また複数の発熱素子５１Ａ乃至５１Ｊは、それぞれ発熱制御電流の供給に応じて発熱し、当該供給される発熱制御電流の電流値の大きさによって発熱量を変化させ得るように形成されている。
【０２６１】
このため入力部６では、複数の番号入力用操作キー４０の操作面４０Ａの温度を目標温度まで上昇させるように、当該複数の番号入力用操作キー４０の加熱用として複数の発熱素子５１Ａ乃至５１Ｊに供給する発熱制御電流の電流値（以下、これを規定電流値とも呼ぶ）が、その目標温度に応じて予め選定されている。
【０２６２】
そして加熱処理部５４の電流値設定回路６１は、その目標温度に応じて選定された規定電流値を予め保持している。
【０２６３】
加熱処理部５４において温度制御部６３は、係る構成のもと、第１温度変化処理を実行すると、主制御部２０から複数の番号入力用操作キー４０の加熱の開始が指示されることを待ち受ける。
【０２６４】
そして温度制御部６３は、主制御部２０から複数の番号入力用操作キー４０の加熱の開始が指示されると、これに応じて電流値設定回路６１及びデジタルアナログ変換回路６２を動作させる。
【０２６５】
この際、電流値設定回路６１は、複数の発熱素子５１Ａ乃至５１Ｊを発熱させるための発熱制御電流の設定電流値を、予め保持している規定電流値に初期設定する。
【０２６６】
これにより電流値設定回路６１は、その初期設定した規定電流値をもとに、当該規定電流値に応じたレベルの発熱制御データを生成して、当該生成した発熱制御データをデジタルアナログ変換回路６２に送出する。
【０２６７】
またデジタルアナログ変換回路６２は、電流値設定回路６１から与えられた発熱制御データをデジタルアナログ変換処理することにより、規定電流値の発熱制御電流を生成して、当該生成した発熱制御電流を複数の発熱素子５１Ａ乃至５１Ｊに供給する。
【０２６８】
これにより温度制御部６３は、規定電流値の発熱制御電流により複数の発熱素子５１Ａ乃至５１Ｊを発熱させて複数の番号入力用操作キー４０を加熱する。
【０２６９】
そして温度制御部６３は、この後、主制御部２０から複数の番号入力用操作キー４０の加熱の終了が指示されると、これに応じて電流値設定回路６１及びデジタルアナログ変換回路６２の動作を停止させる。
【０２７０】
よって温度制御部６３は、複数の発熱素子５１Ａ乃至５１Ｊに対する規定電流値の発熱制御電流の供給を停止して複数の発熱素子５１Ａ乃至５１Ｊの発熱を停止させることにより、複数の番号入力用操作キー４０の加熱を終了する。
【０２７１】
このようにして温度制御部６３は、主制御部２０によって複数の番号入力用操作キー４０の加熱の開始が指示されてから終了が指示されるまでの間、複数の発熱素子５１Ａ乃至５１Ｊを、規定電流値の発熱制御電流を供給し続けて発熱させる。
【０２７２】
これにより温度制御部６３は、主制御部２０によって複数の番号入力用操作キー４０の加熱の開始が指示されてから終了が指示されるまでの間、複数の発熱素子５１Ａ乃至５１Ｊの発熱によって複数の番号入力用操作キー４０を加熱して、当該複数の番号入力用操作キー４０の操作面４０Ａ全体を目標温度まで上昇させている。
【０２７３】
ところで、第三者が、仮にサーモグラフィを用いて顧客の暗証番号を不正に取得しようとすると、例えば、顧客が暗証番号を入力している間に、その顧客の肩ごしにサーモグラフィを用いて複数の番号入力用操作キー４０の操作面４０Ａの温度を検出することが考えられる。
【０２７４】
また第三者が、仮にサーモグラフィを用いて顧客の暗証番号を不正に取得しようとすると、例えば、暗証番号を入力した顧客が出金用の紙幣を受け取って現金自動預払機１の前から離れた直後に、サーモグラフィを用いて複数の番号入力用操作キー４０の操作面４０Ａの温度を検出することも考えられる。
【０２７５】
このため、主制御部２０は、顧客により暗証番号の入力が開始されるまでに複数の番号入力用操作キー４０各々の操作面４０Ａの温度が目標温度まで上昇するように、温度制御部６３に複数の番号入力用操作キー４０を加熱させて、暗証番号が入力されても、複数の番号入力用操作キー４０の操作面４０Ａの温度をほとんど変化させないようにする必要がある。
【０２７６】
また主制御部２０は、暗証番号の入力用に押下操作された番号入力用操作キー４０の操作面４０Ａの温度が手の指先の接触により目標温度から僅かに変化した場合は、その温度の変化を速やかに変化前の状態に戻すようにして打ち消すように、温度制御部６３に対し暗証番号の入力前から入力後にも複数の番号入力用操作キー４０を継続して加熱させる必要がある。
【０２７７】
このため主制御部２０は、例えば、近接センサ２３を介して、顧客が現金自動預払機１に近づいて入力部６と対峙したことを検出すると、その直後に温度制御部６３に複数の番号入力用操作キー４０の加熱の開始を指示している。
【０２７８】
そして主制御部２０は、このように温度制御部６３に複数の番号入力用操作キー４０の加熱の開始を指示した後、上述したように顧客に取引の手順を案内しながら、カード挿入排出口８にカード（また、通帳挿入排出口９に通帳）を挿入させている。
【０２７９】
また主制御部２０は、顧客に取引の手順を案内しながら、入力部６を介して取引項目を選択させるようにして、その取引項目として紙幣の出金が選択されると、引き続き顧客に複数の番号入力用操作キー４０を押下操作させて暗証番号を入力させている。
【０２８０】
すなわち、主制御部２０は、温度制御部６３に複数の番号入力用操作キー４０の加熱を開始させてから、顧客に取引の手順を確認させながらカード（また通帳）を挿入させ、また取引項目を選択させるような手順を踏ませている。
【０２８１】
これにより主制御部２０は、温度制御部６３に複数の番号入力用操作キー４０の加熱を開始させてから、顧客により暗証番号の入力が開始されるまでに、当該複数の番号入力用操作キー４０の操作面４０Ａ全体を目標温度まで上昇させるための加熱時間を確保している。
【０２８２】
また主制御部２０は、近接センサ２３を介して、顧客が現金自動預払機１の前から離れたことを検出すると、温度制御部６３に複数の番号入力用操作キー４０の加熱の終了を指示している。
【０２８３】
すなわち、主制御部２０は、顧客が紙幣の出金用に現金自動預払機１に近づいて入力部６と対峙してから、その顧客が出金用の紙幣を受け取って現金自動預払機１の前から離れるまでの間は、温度制御部６３に複数の番号入力用操作キー４０を継続して加熱させている。
【０２８４】
よって図６に示すように、複数の番号入力用操作キー４０は、加熱が開始されるまでの間、操作面４０Ａの温度が目標温度よりも低い、預払機使用環境に応じた所定温度まで低下している。
【０２８５】
この状態で主制御部２０は、時点ｔ１に顧客が現金自動預払機１に近づいて入力部６と対峙すると、温度制御部６３に複数の番号入力用操作キー４０の加熱の開始を指示して複数の発熱素子５１Ａ乃至５１Ｊを発熱させることで、複数の番号入力用操作キー４０の加熱を開始させる。
【０２８６】
従って複数の番号入力用操作キー４０は、その時点ｔ１から複数の発熱素子５１Ａ乃至５１Ｊの発熱によって加熱されて操作面４０Ａの温度が上昇する。
【０２８７】
そして複数の番号入力用操作キー４０は、顧客により所望の取引として出金が選択されると、そのまま加熱されることにより、暗証番号が入力される直前の時点ｔ２には操作面４０Ａ全体が手の指先の温度とほぼ等しい目標温度まで上昇する。
【０２８８】
また複数の番号入力用操作キー４０は、このように時点ｔ２に操作面４０Ａ全体が目標温度まで上昇しても、さらに継続して加熱されることにより、その時点ｔ２以降は自然に放熱する熱量と加熱される熱量とがつりあい、操作面４０Ａ全体が手の指先の温度とほぼ等しい目標温度のままになる。
【０２８９】
そして主制御部２０は、このように複数の番号入力用操作キー４０の操作面４０Ａ全体が目標温度まで上昇しても、当該複数の番号入力用操作キー４０を加熱させたまま顧客に押下操作させて暗証番号を入力させる。
【０２９０】
よって主制御部２０は、顧客により複数の番号入力用操作キー４０が押下操作されて暗証番号が入力されても、これら複数の番号入力用操作キー４０の操作面４０Ａの温度を目標温度からほとんど変化させないようにすることができる。
【０２９１】
また主制御部２０は、顧客による暗証番号の入力以降も、その顧客が現金自動預払機１の前から離れるまでは、番号入力用操作キー４０を加熱させることで、暗証番号の入力の際に操作面４０Ａの温度が、仮に手の指先の接触により目標温度から僅かに変化したとしても、その温度の変化を速やかに変化前の状態に戻すようにして打ち消すことができる。
【０２９２】
そして主制御部２０は、暗証番号の入力後の時点ｔ３に顧客が現金自動預払機１の前から離れると、温度制御部６３に複数の番号入力用操作キー４０の加熱の終了を指示して複数の発熱素子５１Ａ乃至５１Ｊの発熱を停止させ、当該複数の番号入力用操作キー４０の加熱を終了させる。
【０２９３】
これにより複数の番号入力用操作キー４０は、加熱が停止された時点ｔ３以降は自然に放熱して操作面４０Ａの温度が目標温度から徐々に低下し、時点ｔ４には当該操作面４０Ａの温度が再び目標温度よりも低い預払機使用環境に応じた所定温度まで低下する。
【０２９４】
そして複数の番号入力用操作キー４０は、時点ｔ４から、再び加熱が開始されるまでの間、操作面４０Ａの温度が、預払機使用環境に応じた所定温度のままほぼ一定になる。
【０２９５】
このようにして主制御部２０は、紙幣の出金時、温度制御部６３により複数の番号入力用操作キー４０を加熱させて操作面４０Ａの温度を手の指先とほぼ等しい温度にした状態で、顧客に対し当該複数の番号入力用操作キー４０を押下操作させて暗証番号を入力させている。
【０２９６】
ところで、主制御部２０は、顧客により所望の取引として紙幣の出金が選択された場合は、その顧客を認証するために暗証番号を入力させるものの、所望の取引として紙幣の入金が選択された場合は、暗証番号を特には入力させていない。
【０２９７】
また主制御部２０は、近接センサ２３を介して、顧客が現金自動預払機１に近づいて入力部６と対峙したことを検出した時点では、その顧客が、所望する取引として紙幣の出金及び入金の何れを選択するのかは判らない。
【０２９８】
しかしながら、主制御部２０は、近接センサ２３を介して、顧客が現金自動預払機１に近づいて入力部６と対峙したことを検出すると、顧客により紙幣の出金が選択される可能性を考慮して、上述のように温度制御部６３に複数の番号入力用操作キー４０の加熱を開始させて操作面４０Ａの温度を目標温度まで上昇させるための加熱時間を確保している。
【０２９９】
ただし、主制御部２０は、このようにして温度制御部６３に複数の番号入力用操作キー４０の加熱を開始させても、その顧客によって紙幣の入金が選択されると、その時点に温度制御部６３に複数の番号入力用操作キー４０の加熱の終了を指示して、当該複数の番号入力用操作キー４０の加熱を終了させている。
【０３００】
これにより主制御部２０は、顧客が現金自動預払機１に近づいて入力部６と対峙したことに応じて複数の番号入力用操作キー４０の加熱を開始させても、その顧客によって紙幣の入金が選択された場合には、その後に複数の番号入力用操作キー４０を無駄に加熱して消費電力が増大することを防止している。
【０３０１】
（１−５）第１暗証番号入力処理手順
次いで、図７（Ａ）及び（Ｂ）並びに図８（Ａ）及び（Ｂ）に示すフローチャートを用いて、主制御部２０が実行する第１取引案内処理手順ＲＴ１及び温度制御部６３が実行する第１温度変化処理手順ＲＴ２からなる第１暗証番号入力処理手順について説明する。
【０３０２】
主制御部２０は、例えば、外部から作業者により取引業務の開始やメンテナンスの完了に応じて起動が指示されて起動すると、内部のメモリに予め記憶されている第１取引案内処理プログラムに従い図７（Ａ）及び図８（Ａ）に示す第１取引案内処理手順ＲＴ１を開始する。
【０３０３】
主制御部２０は、係る第１取引案内処理手順ＲＴ１を開始すると、ステップＳＰ１において近接センサ２３から与えられるセンサ出力信号のレベルに基づき、顧客が入力部６と対峙したか否かを判別する。
【０３０４】
このステップＳＰ１において否定結果が得られると、このことは出金や入金の取引を所望する顧客が未だ訪れてはいないことを表している。ステップＳＰ１において主制御部２０は、係る否定結果を得ると、ステップＳＰ２に移る。
【０３０５】
そしてステップＳＰ２において主制御部２０は、外部から動作の停止が指示されたか否かを判別する。このステップＳＰ２において否定結果が得られると、このことは例えば、取引業務中であり、また現金自動預払機１に対するメンテナンスも必要ないために外部から動作の停止が指示されてはいないことを表している。ステップＳＰ２において主制御部２０は、係る否定結果を得ると、ステップＳＰ１に戻る。
【０３０６】
これにより主制御部２０は、ステップＳＰ１及びステップＳＰ２の何れかにおいて肯定結果を得るまでの間、当該ステップＳＰ１及びステップＳＰ２の処理を循環的に繰り返し実行する。
【０３０７】
このようにして主制御部２０は、出金や入金の取引を所望する顧客が現金自動預払機１の前に訪れること、また外部から動作の停止が指示されることを待ち受ける。
【０３０８】
そしてステップＳＰ１において肯定結果が得られると、このことは出金や入金の取引を所望する顧客が訪れたこと（すなわち、顧客が現金自動預払機１に近づいて入力部６と対峙したこと）を表している。ステップＳＰ１において主制御部２０は、係る肯定結果を得ると、ステップＳＰ３に移る。
【０３０９】
ステップＳＰ３において主制御部２０は、スピーカ２２から受付音声を出力して、次のステップＳＰ４に移る。
【０３１０】
ステップＳＰ４において主制御部２０は、入力部６の温度制御部６３に複数の番号入力用操作キー４０の加熱の開始を指示して、次のステップＳＰ５に移る。
【０３１１】
ここで、温度制御部６３は、例えば、主制御部２０から起動が指示されて起動すると、内部のメモリに予め記憶されている第１温度変化処理プログラムに従い図７（Ｂ）及び図８（Ｂ）に示す第１温度変化処理手順ＲＴ２を開始している。
【０３１２】
温度制御部６３は、係る第１温度変化処理手順ＲＴ２を開始すると、ステップＳＰ２１において主制御部２０から複数の番号入力用操作キー４０の加熱の開始が指示されたか否かを判別する。
【０３１３】
このステップＳＰ２１において否定結果が得られると、このことは出金や入金の取引を所望する顧客が未だ訪れてはいないために、主制御部２０から複数の番号入力用操作キー４０の加熱の開始が指示されていないことを表している。ステップＳＰ２１において温度制御部６３は、係る否定結果を得ると、ステップＳＰ２２に移る。
【０３１４】
そしてステップＳＰ２２において温度制御部６３は、例えば、主制御部２０から動作の停止が指示されたか否かを判別する。
【０３１５】
このステップＳＰ２２において否定結果が得られると、このことは主制御部２０が取引案内処理の実行中であり、顧客が来訪すれば温度制御部６３に対し、複数の番号入力用操作キー４０の加熱の開始を指示する可能性があるために未だ動作の停止を指示していないことを表している。ステップＳＰ２２において温度制御部６３は、係る否定結果を得ると、ステップＳＰ２１に戻る。
【０３１６】
これにより温度制御部６３は、この後、ステップＳＰ２１及びステップＳＰ２２の何れかにおいて肯定結果を得るまでの間、当該ステップＳＰ２１及びステップＳＰ２２の処理を循環的に繰り返し実行する。
【０３１７】
このようにして温度制御部６３は、主制御部２０から複数の番号入力用操作キー４０の加熱の開始が指示されること、また動作の停止が指示されることを待ち受ける。
【０３１８】
そしてステップＳＰ２１において肯定結果が得られると、このことは顧客が現金自動預払機１に近づいて入力部６と対峙したために、主制御部２０から複数の番号入力用操作キー４０の加熱の開始が指示されたことを表している。ステップＳＰ２１において温度制御部６３は、係る肯定結果を得ると、ステップＳＰ２３に移る。
【０３１９】
ステップＳＰ２３において温度制御部６３は、複数の発熱素子５１Ａ乃至５１Ｊに規定電流値の発熱制御電流を供給して発熱させることにより、当該複数の発熱素子５１Ａ乃至５１Ｊの発熱によって複数の番号入力用操作キー４０の加熱を開始して、次のステップＳＰ２４に移る。
【０３２０】
この際、ステップＳＰ５において主制御部２０は、表示部７にカード挿入案内画像を表示することにより、当該カード挿入案内画像により顧客にカード及び通帳の挿入を促して、次のステップＳＰ６に移る。
【０３２１】
よってステップＳＰ６において主制御部２０は、顧客により、少なくともカード挿入排出口８にカードが挿入されることを待ち受ける。
【０３２２】
そしてステップＳＰ６において主制御部２０は、顧客によりカード挿入排出口８にのみカードが挿入され、又はカード挿入排出口８にカードが挿入されると共に通帳挿入排出口９に通帳も挿入されると、次のステップＳＰ７に移る。
【０３２３】
ステップＳＰ７において主制御部２０は、表示部７に対しカード挿入案内画像に換えて項目選択案内画像を表示することにより、その項目選択案内画像により顧客に取引項目の選択を促して、次のステップＳＰ８に移る。
【０３２４】
よってステップＳＰ８において主制御部２０は、顧客により入力部６において特定の操作キー４０が押下操作されて取引項目が選択されることを待ち受ける。
【０３２５】
そしてステップＳＰ８において主制御部２０は、顧客により入力部６を介して取引項目が選択されると、次のステップＳＰ９に移る。
【０３２６】
ステップＳＰ９において主制御部２０は、顧客により取引項目として紙幣の出金が選択されたか否かを判別する。
【０３２７】
このステップＳＰ９において肯定結果が得られると、このことは、このとき顧客が暗証番号の入力が必要な紙幣の出金のために訪れていたことを表している。
【０３２８】
ステップＳＰ９において主制御部２０は、係る肯定結果を得ると、温度制御部６３に複数の番号入力用操作キー４０の加熱を継続させたまま、次のステップＳＰ１０に移る。
【０３２９】
ステップＳＰ１０において主制御部２０は、表示部７に対し項目選択案内画像に換えて暗証番号入力案内画像を表示することにより、当該暗証番号入力案内画像により顧客に暗証番号の入力を促して、次のステップＳＰ１１に移る。
【０３３０】
ステップＳＰ１１において主制御部２０は、顧客により入力部６において複数の番号入力用操作キー４０の何れかが順に押下操作されて暗証番号が入力されることを待ち受ける。
【０３３１】
そしてステップＳＰ１１において主制御部２０は、顧客により入力部６において加熱した状態の複数の番号入力用操作キー４０の何れかが順に押下操作されて暗証番号が入力されると、次のステップＳＰ１２に移る。
【０３３２】
これによりステップＳＰ１２において主制御部２０は、上述したように認証装置に認証処理を実行するように依頼した後、表示部７に対し暗証番号入力案内画像に換えて紙幣の出金処理に応じた金額指定案内画像や出金処理中案内画像等の取引手順案内画像を順次表示する。
【０３３３】
そして主制御部２０は、顧客に出金の紙幣を受け取らせると共に、カードや、通帳又は取引明細書を受け取らせると、次のステップＳＰ１３に移る。
【０３３４】
ステップＳＰ１３において主制御部２０は、顧客が現金自動預払機１の前から離れることを待ち受ける。
【０３３５】
そしてステップＳＰ１３において主制御部２０は、近接センサ２３から与えられるセンサ出力信号のレベルに基づき、顧客が現金自動預払機１の前から離れたことを検出すると、次のステップＳＰ１４に移る。
【０３３６】
よってステップＳＰ１４において主制御部２０は、温度制御部６３に複数の番号入力用操作キー４０の加熱の終了を指示して、次のステップＳＰ２に移る。
【０３３７】
ここで、ステップＳＰ２３において複数の番号入力用操作キー４０の加熱を開始していた温度制御部６３は、次のステップＳＰ２４において主制御部２０から複数の番号入力用操作キー４０の加熱の終了が指示されることを待ち受けている。
【０３３８】
そしてステップＳＰ２４において温度制御部６３は、主制御部２０から、出金用の紙幣を受け取った顧客が現金自動預払機１の前から離れたことで、複数の番号入力用操作キー４０の加熱の終了が指示されると、次のステップＳＰ２５に移る。
【０３３９】
よってステップＳＰ２５において温度制御部６３は、複数の発熱素子５１Ａ乃至５１Ｊに対する規定電流値の発熱制御電流の供給を停止して、当該複数の発熱素子５１Ａ乃至５１Ｊの発熱を停止させる。
【０３４０】
これにより温度制御部６３は、複数の番号入力用操作キー４０の加熱を終了して、次のステップＳＰ２２に移る。
【０３４１】
ところで、上述のステップＳＰ９において否定結果が得られると、このことは、このとき顧客が暗証番号の入力が必要のない紙幣の入金のために訪れていたことを表している。ステップＳＰ９において主制御部２０は、係る否定結果を得ると、ステップＳＰ１５に移る。
【０３４２】
そしてステップＳＰ１５において主制御部２０は、この際の取引に暗証番号の入力は必要ないため、温度制御部６３に複数の番号入力用操作キー４０の加熱の終了を指示して、次のステップＳＰ１６に移る。
【０３４３】
このときステップＳＰ２４において温度制御部６３は、この際の取引に暗証番号の入力は必要ないことで主制御部２０から指示された複数の番号入力用操作キー４０の加熱の終了を受け付けて、次のステップＳＰ２５に移る。
【０３４４】
よってステップＳＰ２５において温度制御部６３は、上述と同様に複数の番号入力用操作キー４０の加熱を終了して、次のステップＳＰ２２に移る。
【０３４５】
またステップＳＰ１６において主制御部２０は、この場合、上述したように表示部７に対し項目選択案内画像に換えて紙幣の入金処理に応じた紙幣投入案内画像や計数中案内画像等の取引手順案内画像を順次表示する。
【０３４６】
そして主制御部２０は、紙幣の入金が終了して顧客にカードや、通帳又は取引明細書を受け取らせると、次のステップＳＰ１７に移る。
【０３４７】
これによりステップＳＰ１７において主制御部２０は、顧客が現金自動預払機１の前から離れることを待ち受け、近接センサ２３から与えられるセンサ出力信号のレベルに基づき、顧客が現金自動預払機１の前から離れたことを検出すると、ステップＳＰ２に移る。
【０３４８】
そして主制御部２０は、ステップＳＰ２において再び否定結果を得ると、ステップＳＰ１に戻る。このようにして主制御部２０は、この後、ステップＳＰ２において肯定結果を得るまでの間、顧客が取引のために訪れる毎にステップＳＰ１乃至ステップＳＰ１７の処理を循環的に繰り返し実行する。
【０３４９】
また温度制御部６３は、ステップＳＰ２５の処理を実行した後、ステップＳＰ２２に移って再び否定結果を得ると、ステップＳＰ２１に戻る。
【０３５０】
よって温度制御部６３は、この後、ステップＳＰ２２において肯定結果を得るまでの間、顧客が取引のために訪れる毎に主制御部２０の指示に応じてステップＳＰ２１乃至ステップＳＰ２５の処理を循環的に繰り返し実行する。
【０３５１】
このようにして主制御部２０及び温度制御部６３は、顧客が出金の取引のために訪れる毎に、複数の番号入力用操作キー４０を加熱して各々の操作面４０Ａ全体を手の指先の温度とほぼ等しい目標温度まで上昇させた状態で、当該複数の番号入力用操作キー４０を押下操作させて暗証番号を入力させることができる。
【０３５２】
ところで、上述したステップＳＰ２において肯定結果が得られると、このことは外部から作業者により取引業務の終了やメンテナンスの実施に応じて動作の停止が指示されたことを表している。
【０３５３】
ステップＳＰ２において主制御部２０は、係る肯定結果を得ると、例えば、温度制御部６３に動作の停止を指示した後、次のステップＳＰ１８に移って第１取引案内処理手順ＲＴ１を収納する。
【０３５４】
また上述したステップＳＰ２２において肯定結果が得られると、このことは主制御部２０から自身の動作の停止に応じて温度制御部６３も動作を停止させるように指示されたことを表している。
【０３５５】
ステップＳＰ２２において温度制御部６３は、係る肯定結果を得ると、次のステップＳＰ２６に移って第１温度変化処理手順ＲＴ２を終了する。
【０３５６】
このようにして主制御部２０及び温度制御部６３は、第１取引案内処理手順ＲＴ１及び第１温度変化処理手順ＲＴ２からなる第１暗証番号入力処理手順を全て終了する。
【０３５７】
（１−６）第１の実施の形態の動作及び効果
以上の構成において、現金自動預払機１では、暗証番号の入力に用いられる押下操作可能な番号入力用操作キー４０を有する入力部６に、当該複数の番号入力用操作キー４０を加熱するための複数の発熱素子５１Ａ乃至５１Ｊを設けるようにした。
【０３５８】
そして現金自動預払機１は、顧客により暗証番号が入力される際、複数の発熱素子５１Ａ乃至５１Ｊを発熱させて複数の番号入力用操作キー４０を加熱することにより、当該複数の番号入力用操作キー４０の操作面４０Ａ全体をそれぞれ手の指先の温度とほぼ等しい目標温度まで上昇させる。
【０３５９】
従って現金自動預払機１は、顧客により暗証番号の入力用に複数の番号入力用操作キー４０が順に押下操作されても、手の指先が接触した操作面４０Ａの温度をほとんど変化させずに、手の指先が接触していない操作面４０Ａの温度と等しくすることができる。
【０３６０】
よって現金自動預払機１は、顧客により暗証番号の入力用に複数の番号入力用操作キー４０が順に押下操作された際に、第三者によりサーモグラフィが用いられて複数の番号入力用操作キー４０の操作面４０Ａの温度が検出されたとしても、その検出した操作面４０Ａの温度では、押下操作された番号入力用操作キー４０を判別し得なくすることができる。
【０３６１】
以上の構成によれば、現金自動預払機１は、暗証番号の入力に用いられる押下操作可能な番号入力用操作キー４０を有する入力部６に複数の発熱素子５１Ａ乃至５１Ｊを設け、顧客により暗証番号が入力される際、複数の発熱素子５１Ａ乃至５１Ｊを発熱させて複数の番号入力用操作キー４０を加熱して、当該複数の番号入力用操作キー４０の操作面４０Ａの温度をそれぞれ手の指先の温度とほぼ等しい目標温度まで上昇させるようにした。
【０３６２】
これにより現金自動預払機１は、顧客により暗証番号の入力用に複数の番号入力用操作キー４０が順に押下操作された際に、第三者によりサーモグラフィが用いられて例えば、顧客の肩ごしに複数の番号入力用操作キー４０の操作面４０Ａの温度が検出されたとしても、その検出した操作面４０Ａの温度では、押下操作された番号入力用操作キー４０を判別し得なくすることができる。よって現金自動預払機１は、サーモグラフィを用いる暗証番号の不正な取得を防止することができる。
【０３６３】
また現金自動預払機１は、近接センサ２３を介して、顧客が当該現金自動預払機１に近づいて入力部６と対峙したことを検出すると、複数の番号入力用操作キー４０の加熱を開始するようにした。
【０３６４】
そして現金自動預払機１は、複数の番号入力用操作キー４０の加熱を開始してから、表示部７に表示する取引手順案内画像を介して顧客に取引手順を確認させながら、カードを挿入させ、次いで取引項目を選択させた後、暗証番号を入力させるようにした。
【０３６５】
従って現金自動預払機１は、複数の番号入力用操作キー４０の加熱を開始してから暗証番号を入力させるまでに、当該複数の番号入力用操作キー４０の操作面４０Ａの温度を目標温度まで上昇可能な加熱時間を確保することができる。
【０３６６】
すなわち、現金自動預払機１は、紙幣の出金のために訪れた顧客を暗証番号の入力前に、複数の番号入力用操作キー４０の加熱のために無駄に待たせることなく、取引に必要な手順を順に踏ませながら、その間に複数の番号入力用操作キー４０の操作面４０Ａの温度を目標温度まで上昇させることができる。
【０３６７】
さらに現金自動預払機１は、顧客により暗証番号が入力される際に複数の番号入力用操作キー４０を加熱して、近接センサ２３を介して、出金用の紙幣を受け取った顧客が当該現金自動預払機１の前から離れたことを検出するまでのように暗証番号の入力後もある程度の時間、当該複数の番号入力用操作キー４０を継続して加熱するようにした。
【０３６８】
従って現金自動預払機１は、顧客により複数の番号入力用操作キー４０が順に押下操作されて暗証番号が入力された際に、当該押下操作された番号入力用操作キー４０の操作面４０Ａにおいて仮に手の指先の接触部分の温度が僅かに変化したとしても、その温度の変化を速やかに変化前の状態に戻すようにして打ち消すことができる。
【０３６９】
そして現金自動預払機１は、係る構成により、例えば、暗証番号を入力した顧客が出金用の紙幣を受け取って現金自動預払機１の前から離れた直後に、第三者がサーモグラフィを用いて複数の番号入力用操作キー４０の操作面４０Ａの温度を検出するような場合、その検出した操作面４０Ａの温度では押下操作された番号入力用操作キー４０をほぼ確実に判別し得なくして暗証番号の不正な取得を防止することができる。
【０３７０】
さらに現金自動預払機１は、顧客が入力部６と対峙したことに応じて複数の番号入力用操作キー４０の加熱を開始するものの、その後、顧客により取引項目として暗証番号の入力を必要としない紙幣の入金が選択されると、その時点に複数の番号入力用操作キー４０の加熱を終了するようにした。
【０３７１】
従って現金自動預払機１は、顧客が入力部６と対峙したことに応じて複数の番号入力用操作キー４０の加熱を開始しても、その顧客によって紙幣の入金が選択された場合には、その後に複数の番号入力用操作キー４０を無駄に加熱して消費電力が増大することを防止することができる。
【０３７２】
（２）第２の実施の形態
（２−１）現金自動預払機の外観構成
図１との対応部分に同一符号を付した図９は、第２の実施の形態による現金自動預払機７０を示す。第２の実施の形態による現金自動預払機７０は、例えば、預払機筐体２の一部を建物の外壁に埋め込むようにして街頭に設置されている。
【０３７３】
すなわち、第２の実施の形態による現金自動預払機７０は、屋内に比べて周囲の温度の変化が大きい街頭に設置されている。
【０３７４】
このため第２の実施の形態による現金自動預払機７０には、後述するように、第１の実施の形態による入力部６とは内部構成の異なる入力部７１が設けられている。
【０３７５】
ただし、第２の実施の形態による現金自動預払機７０は、第１の実施の形態による現金自動預払機１と同様の外観構成を有している。よって第２の実施の形態による現金自動預払機７０の外観構成については、説明を省略する。
【０３７６】
（２−２）現金自動預払機の内部構成
次いで、図２との対応部分に同一符号を付した図１０を用いて、第２の実施の形態による現金自動預払機７０の内部構成について説明する。
【０３７７】
図１０に示すように、現金自動預払機７０は、第１の実施の形態による入力部６とは異なる入力部７１が設けられた構成と、第１の実施の形態による主制御部２０とは一部異なる処理を実行する主制御部７２が設けられた構成とを除いて、第１の実施の形態による現金自動預払機１と同様の内部構成を有している。
【０３７８】
この場合、主制御部７２は、紙幣を出金及び入金する際、紙幣処理ユニット２５を制御することにより、第１の実施の形態で上述した出金処理及び入金処理と同様な出金処理及び入金処理を実行している。
【０３７９】
また主制御部７２は、紙幣を補充及び回収する際、紙幣処理ユニット２５を制御することにより、第１の実施の形態で上述した補充処理及び回収処理と同様な補充処理及び回収処理を実行している。
【０３８０】
ただし、主制御部７２は、動作中に、内部のメモリに予め記憶されている第２取引案内処理プログラムに従ってネットワークインタフェース２１、入力部７１、表示部７、スピーカ２２及び近接センサ２３を制御することにより、第１の実施の形態で上述した第１取引案内処理と一部異なる第２取引案内処理を実行している。
【０３８１】
すなわち、主制御部７２は、第２取引案内処理の実行中、第１取引案内処理と同様に、顧客が訪れる毎に取引の手順を同一の順番で案内している。
【０３８２】
また主制御部７２は、第２取引案内処理の実行中、第１取引案内処理と同様に、顧客が訪れる毎に、入力部７１を制御して複数の番号入力用操作キー４０を加熱させている。
【０３８３】
ただし、複数の番号入力用操作キー４０は、現金自動預払機７０の周囲の温度である外気温が真冬の冷え込み等によって比較的低い場合、加熱前には操作面４０Ａの温度が、その影響を受けて一様に比較的低くなる。
【０３８４】
そして入力部７１では、例えば、複数の番号入力用操作キー４０を加熱するために、複数の発熱素子５１Ａ乃至５１Ｊを、一定の電流値の発熱制御電流を供給し続けて発熱させると、加熱開始時点の操作面４０Ａの温度が目標温度に比して低いほど、加熱の開始から操作面４０Ａの温度を目標温度へ上昇させるまでの加熱時間が長くなる。
【０３８５】
このため主制御部７２は、第２取引案内処理の実行中、顧客により取引項目として紙幣の出金が選択されると、第１取引案内処理とは一部異なる処理として、複数の番号入力用操作キー４０の操作面４０Ａの温度が目標温度まで上昇しているか確認し、そのうえで暗証番号を入力させている。
【０３８６】
実際に主制御部７２は、表示部７に取引項目案内画像を表示し、顧客により入力部６の操作キーが押下操作されて取引項目として紙幣の出金が選択されると、入力部７１に複数の番号入力用操作キー４０の操作面４０Ａにおける温度の変化の状況（以下、これを温度変化状況とも呼ぶ）を問い合わせる。
【０３８７】
入力部７１は、後述するように主制御部７２から温度変化状況の問い合わせがあると、これら複数の番号入力用操作キー４０の操作面４０Ａの温度を検出する。
【０３８８】
そして入力部７１は、複数の番号入力用操作キー４０の全てにおいて操作面４０Ａの温度が目標温度まで上昇していると、主制御部７２に操作面４０Ａの温度が目標温度まで上昇していることを通知する。
【０３８９】
また主制御部７２は、入力部７１から複数の番号入力用操作キー４０の操作面４０Ａの温度が目標温度まで上昇したことか通知されると、上述した第１の実施の形態の場合と同様に、表示部７に項目選択案内画像データに換えて暗証番号入力案内画像データを送出する。
【０３９０】
これにより主制御部７２は、表示部７に対し項目選択案内画像に換えて暗証番号入力案内画像を表示して顧客に暗証番号の入力を促す。
【０３９１】
ただし、入力部７１は、主制御部７２からの温度変化状況の問い合わせに応じて複数の番号入力用操作キー４０の操作面４０Ａの温度を検出した結果、当該複数の番号入力用操作キー４０の少なくとも１個以上において操作面４０Ａの温度が目標温度よりも低いと、主制御部７２に操作面４０Ａの温度が目標温度まで上昇していないことを通知する。
【０３９２】
そして主制御部７２は、入力部７１から複数の番号入力用操作キー４０の操作面４０Ａの温度が目標温度まで上昇していないことが通知されると、項目選択案内画像データに換えて、内部のメモリに予め記憶している複数の取引手順案内画像データのうち例えば、現金自動預払機７０の前（すなわち、入力部７１の前）で待機するように促すための取引手順案内画像の取引手順案内画像データを表示部７に送出する。
【０３９３】
因みに、以下の説明では、現金自動預払機７０の前で待機するように促すための取引手順案内画像を、待機案内画像とも呼び、当該待機案内画像の取引手順案内画像データを、待機案内画像データとも呼ぶ。
【０３９４】
これにより主制御部７２は、表示部７に対し項目選択案内画像に換えて、待機案内画像データに基づき例えば、「しばらくそのままでお待ちください」というような案内文を有する待機案内画像を表示して顧客に現金自動預払機７０の前で待機するように促す。
【０３９５】
また主制御部７２は、入力部７１から複数の番号入力用操作キー４０の操作面４０Ａの温度が目標温度まで上昇していないことが通知されると、その時点から所定時間（例えば、数［ｍｓｅｃ］程度の時間）後に、再び入力部７１に対し温度変化状況を問い合わせる。
【０３９６】
よって入力部７１は、主制御部７２から再び、温度変化状況の問い合わせがあると、上述と同様に複数の番号入力用操作キー４０の操作面４０Ａの温度を検出する。
【０３９７】
そして入力部７１は、その検出結果に応じて、主制御部７２に複数の番号入力用操作キー４０の操作面４０Ａの温度が目標温度まで上昇していないこと、又は当該複数の番号入力用操作キー４０の操作面４０Ａの温度が目標温度まで上昇していることを通知する。
【０３９８】
また主制御部７２は、入力部７１に再び温度変化状況を問い合わせた結果、複数の番号入力用操作キー４０の操作面４０Ａの温度が目標温度まで上昇していないことが通知されると、表示部７に対する待機案内画像の表示を継続する。
【０３９９】
そして主制御部７２は、入力部７１から複数の番号入力用操作キー４０の操作面４０Ａの温度が目標温度まで上昇していないことが通知された時点から所定時間後に、再度、入力部７１に対し温度変化状況を問い合わせる。
【０４００】
このようにして主制御部７２は、顧客により取引項目として紙幣の出金が選択された時点の入力部７１に対する温度変化状況の問い合わせで、複数の番号入力用操作キー４０の操作面４０Ａの温度が目標温度まで上昇していないことが通知されると、その後、入力部７１から当該操作面４０Ａの温度が目標温度まで上昇したことが通知されるまで、入力部７１に対して定期的に温度変化状況を問い合わせる。
【０４０１】
また入力部７１は、主制御部７２から温度変化状況の問い合わせがあると、その都度、上述と同様に複数の番号入力用操作キー４０の操作面４０Ａの温度を検出して、その検出結果に応じて主制御部７２に返答する。
【０４０２】
そして主制御部７２は、入力部７１に対する何度目かの温度変化状況の問い合わせで、当該入力部７１から複数の番号入力用操作キー４０の操作面４０Ａの温度が目標温度まで上昇したことが通知されると、表示部７に待機案内画像データに換えて暗証番号入力案内画像データを送出する。
【０４０３】
これにより主制御部７２は、表示部７に対し待機案内画像に換えて暗証番号入力案内画像を表示して顧客に暗証番号の入力を促す。
【０４０４】
このようにして主制御部７２は、顧客により取引項目として紙幣の出金が選択された場合、複数の番号入力用操作キー４０の操作面４０Ａの温度が全て目標温度まで上昇してから、これら複数の番号入力用操作キー４０を、操作面４０Ａに手の指先を接触させるようにして順に押下操作させて暗証番号を入力させている。
【０４０５】
これにより主制御部７２は、複数の番号入力用操作キー４０を加熱して操作面４０Ａの温度が目標温度まで上昇するのに比較的時間を要する場合でも、操作面４０Ａの温度が目標温度よりも低いまま暗証番号の入力用に複数の番号入力用操作キー４０が押下操作されて、当該操作面４０Ａの温度に手の指先の接触による著しい変化が生じることを防止している。
【０４０６】
また主制御部７２は、顧客により取引項目として紙幣の出金が選択されたときに複数の番号入力用操作キー４０各々の操作面４０Ａの温度が目標温度まで上昇していないと、入力部７１に対し格段的に短い周期で温度変化状況を問い合わせている。
【０４０７】
よって主制御部７２は、複数の番号入力用操作キー４０各々の操作面４０Ａの温度が目標温度まで上昇したときに、直ちに入力部７１に対し当該操作面４０Ａの温度が目標温度まで上昇したことを検出させて通知させると共に、その通知に応じて表示部７に対する表示を待機案内画像から暗証番号入力案内画へ切り換えることができる。
【０４０８】
このように主制御部７２は、顧客により取引項目として紙幣の出金が選択されたときに複数の番号入力用操作キー４０各々の操作面４０Ａの温度が目標温度まで上昇していないと、顧客を待機させるものの、その待機の時間を、入力部７１に最初に温度変化状況を問い合わせたときから、複数の番号入力用操作キー４０各々の操作面４０Ａの温度が目標温度へ上昇するまでの時間とほぼ等しくすることができる。
【０４０９】
言い換えると、主制御部７２は、複数の番号入力用操作キー４０の操作面４０Ａの温度が目標温度まで上昇したにも関わらず、その後も顧客に暗証番号を入力させずに無駄に待機させることを回避することができる。
【０４１０】
（２−３）入力部の外観構成及び内部構成
入力部７１は、上述したように第１の実施の形態による入力部６（図３）とは内部構成のみが異なり、当該第１の実施の形態による入力部６と同様の外観構成を有している。
【０４１１】
よって第２の実施の形態による入力部７１の外観構成については、図３について上述した第１の実施の形態による入力部６の外観構成を参照することとし、説明を省略する。
【０４１２】
従って、以下には、図４との対応部分に同一符号を付した図１１を用いて入力部７１の内部構成について説明する。
【０４１３】
図１１に示すように、入力部７１において操作連動部４６の複数の番号入力用押子４６Ｂは、それぞれ基板配置用凹部４６ＢＹ内の中央部に発熱用配線基板７５が配置されている。
【０４１４】
そして複数の発熱用配線基板７５は、それぞれ一面の中央部に発熱素子５１Ａ乃至５１Ｊが実装され、当該発熱素子５１Ａ乃至５１Ｊの表面を、対応する番号入力用操作キー４０のキー下面４０Ｂの中央部に接触させている。
【０４１５】
また複数の発熱用配線基板７５は、それぞれ一面の例えば、縁部の所定位置に表面実装部品として、複数の番号入力用操作キー４０の操作面４０Ａの温度を検出するためのサーミスタでなる温度センサ７６Ａ乃至７６Ｊが実装されている。
【０４１６】
さらに複数の発熱用配線基板７５は、それぞれ例えば、一面の縁部の所定位置に発熱基板側コネクタ５２が実装されている。
【０４１７】
そして複数の発熱用配線基板７５は、それぞれ一面に導電線（図示せず）が所定パターンで形成されている。
【０４１８】
これにより複数の発熱用配線基板７５では、それぞれ発熱素子５１Ａ乃至５１Ｊが発熱基板側コネクタ５２と導電線を介して電気的に接続されると共に、温度センサ７６Ａ乃至７６Ｊも発熱基板側コネクタ５２と導電線を介して電気的に接続されている。
【０４１９】
また入力用配線基板７７の一面には、表面実装部品として、複数の発熱素子５１Ａ乃至５１Ｊを発熱させて複数の番号入力用操作キー４０を加熱する例えば、マイクロコンピュータ構成の加熱処理部７８が実装されている。
【０４２０】
そして入力用配線基板７７において加熱処理部７８は、当該入力用配線基板７７に所定パターンで形成された入力基板側コネクタ５３と導電線（図示せず）を介して電気的に接続されている。
【０４２１】
因みに、入力用配線基板７７は、第１の実施の形態による入力部６の加熱処理部５４とは回路構成の異なる加熱処理部７８が実装された点を除いて、第１の実施の形態による入力部６の入力用配線基板４３と同様に構成されている。
【０４２２】
さらに複数の入力基板側コネクタ５３は、第１の実施の形態による入力部６の場合と同様に、それぞれ接続ケーブル５５を介して、対応する発熱用配線基板７５の発熱基板側コネクタ５２と機械的及び電気的に接続されている。
【０４２３】
これにより入力部７１において加熱処理部７８は、複数の入力基板側コネクタ５３、複数の接続ケーブル５５及び複数の発熱基板側コネクタ５２を順次介して複数の発熱素子５１Ａ乃至５１Ｊ及び複数の温度センサ７６Ａ乃至７６Ｊに電気的に接続されている。
【０４２４】
そして入力部７１において加熱処理部７８は、顧客により暗証番号が入力される際、主制御部７２の制御のもと、複数の発熱素子５１Ａ乃至５１Ｊに対し規定電流値の発熱制御電流を供給して発熱させることにより複数の番号入力用操作キー４０を加熱する。
【０４２５】
また加熱処理部７８は、複数の番号入力用操作キー４０の加熱中、上述したように主制御部７２から温度変化状況の問い合わせがあると、その都度、複数の温度センサ７６Ａ乃至７６Ｊを介して複数の番号入力用操作キー４０の操作面４０Ａの温度を検出する。
【０４２６】
そして加熱処理部７８は、その検出結果に基づき、主制御部７２に複数の番号入力用操作キー４０の操作面４０Ａの温度が目標温度まで上昇していないこと、又は当該複数の番号入力用操作キー４０の操作面４０Ａの温度が目標温度まで上昇していることを通知する。
【０４２７】
ただし、加熱処理部７８は、複数の番号入力用操作キー４０の操作面４０Ａの温度を検出した際、当該検出した温度が目標温度よりも低いと、複数の発熱素子５１Ａ乃至５１Ｊに供給する発熱制御電流の電流値を規定電流値よりも大きくする。
【０４２８】
これにより加熱処理部７８は、複数の発熱素子５１Ａ乃至５１Ｊの発熱量を増大させて複数の番号入力用操作キー４０の操作面４０Ａに対する温度の上昇を加速させる。
【０４２９】
よって加熱処理部７８は、複数の番号入力用操作キー４０各々の操作面４０Ａの温度が一様に比較的低い場合でも、当該複数の番号入力用操作キー４０各々の操作面４０Ａの温度を目標温度まで極力短い時間で上昇させている。
【０４３０】
また加熱処理部７８は、複数の発熱素子５１Ａ乃至５１Ｊに供給する発熱制御電流の電流値を規定電流値よりも大きくした場合、複数の番号入力用操作キー４０の操作面４０Ａの温度が目標温度まで上昇すると、当該複数の発熱素子５１Ａ乃至５１Ｊに供給する発熱制御電流の電流値をもとの規定電流値に戻す。
【０４３１】
これにより加熱処理部７８は、複数の番号入力用操作キー４０各々の操作面４０Ａの温度を目標温度のままほぼ一定にして、手の指先の温度との差が著しく増大することを防止している。
【０４３２】
従って加熱処理部７８は、複数の番号入力用操作キー４０各々の操作面４０Ａの温度が目標温度まで上昇すると、上述した第１の実施の形態の場合と同様に、当該複数の番号入力用操作キー４０を、目標温度の操作面４０Ａに手の指先を接触させるようにして押下操作させて暗証番号を入力させることができる。
【０４３３】
よって加熱処理部７８は、上述した第１の実施の形態の場合と同様に、顧客により複数の番号入力用操作キー４０の何れかが順に押下操作されて暗証番号が入力されても、この際、押下操作された番号入力用操作キー４０の操作面４０Ａの温度が、押下操作されなかった番号入力用操作キー４０の操作面４０Ａの温度と異なるように変化することを防止することができる。
【０４３４】
このため加熱処理部７８は、顧客により暗証番号が入力された際、第三者によりサーモグラフィが用いられて複数の番号入力用操作キー４０の操作面４０Ａの温度が検出されたとしても、暗証番号の入力用に押下操作された番号入力用操作キー４０や、当該番号入力用操作キー４０の押下操作の順番を特定し得なくすることができる。
【０４３５】
（２−４）温度変化部の構成
次いで、図１２を用いて、顧客により複数の番号入力用操作キー４０が押下操作されて暗証番号が入力される際、入力部７１において複数の発熱素子５１Ａ乃至５１Ｊを介して複数の番号入力用操作キー４０の操作面４０Ａの温度を変化させてほぼ等しくするための、複数の発熱素子５１Ａ乃至５１Ｊ、加熱処理部７８及び複数の温度センサ７６Ａ乃至７６Ｊからなる温度変化部７９の構成について具体的に説明する。
【０４３６】
この場合、加熱処理部７８には、複数の温度センサ７６Ａ乃至７６Ｊに対応させて（すなわち、複数の番号入力用操作キー４０に対応させて）、当該複数の温度センサ７６Ａ乃至７６Ｊの個数と同数のアナログデジタル変換回路８０Ａ乃至８０Ｊが設けられている。
【０４３７】
また加熱処理部７８には、複数の温度センサ７６Ａ乃至７６Ｊの温度検出信号に基づいて複数の番号入力用操作キー４０の操作面４０Ａの実際の温度（以下，これを操作面実温度とも呼ぶ）を検出し、当該検出した操作面実温度を目標温度と比較する温度検出比較回路８１も設けられている。
【０４３８】
さらに加熱処理部７８には、温度検出比較回路８１により操作面実温度を検出し比較する処理（以下、これを温度検出比較処理とも呼ぶ）に用いられる温度情報を保持する温度情報保持部８２も設けられている。
【０４３９】
さらに加熱処理部７８には、複数の発熱素子５１Ａ乃至５１Ｊに対応させて（すなわち、複数の番号入力用操作キー４０に対応させて）、当該複数の発熱素子５１Ａ乃至５１Ｊの個数と同数の電流値設定回路８３Ａ乃至８３Ｊ及びデジタルアナログ変換回路８４Ａ乃至８４Ｊも設けられている。
【０４４０】
さらにまた加熱処理部７８には、主制御部７２の制御のもと、加熱処理部７８全体を統括制御する温度制御部８５も設けられている。
【０４４１】
そして温度制御部８５は、例えば、内部のメモリに予め記憶されている第２温度変化処理プログラムに従い、複数の電流値設定回路８３Ａ乃至８３Ｊ及び複数のデジタルアナログ変換回路８４Ａ乃至８４Ｊ等の各ブロックを制御することにより第２温度変化処理を実行する。
【０４４２】
ここで、複数の温度センサ７６Ａ乃至７６Ｊは、例えば、入力部７１が動作している間、温度を検出して、当該検出した温度に応じた電流値の温度検出信号を出力している。
【０４４３】
この場合、複数の温度センサ７６Ａ乃至７６Ｊは、図１１からも明らかなように、それぞれ温度の検出精度が現金自動預払機７０の周囲の温度の影響を受けて低下しないように、番号入力用操作キー４０のキー下面４０Ｂによって閉塞される番号入力用押子４６Ｂの基板配置用凹部４６ＢＹ内に配置されている。
【０４４４】
しかしながら、複数の温度センサ７６Ａ乃至７６Ｊは、それぞれ対応する番号入力用操作キー４０のキー下面４０Ｂから離隔されており、当該番号入力用操作キー４０の操作面４０Ａの温度を直接は検出していない。
【０４４５】
このため温度情報保持部８２は、温度情報として例えば、温度センサ７６Ａ乃至７６Ｊ毎に、当該温度センサ７６Ａ乃至７６Ｊの検出した温度をもとに、対応する番号入力用操作キー４０の操作面実温度を検出するためのデータテーブルを予め保持している。また温度情報保持部８２は、温度情報として、目標温度を示す目標温度情報も予め保持している。
【０４４６】
因みに、以下の説明では、温度センサ７６Ａ乃至７６Ｊの検出した温度をもとに、対応する番号入力用操作キー４０の操作面実温度を検出するためのデータテーブルを、温度検出テーブルとも呼ぶ。
【０４４７】
なお、温度センサ７６Ａ乃至７６Ｊ毎の温度検出テーブルは、温度センサ７６Ａ乃至７６Ｊの検出した種々の温度と、対応する番号入力用操作キー４０の操作面実温度とを対応付けるようにして生成されている。
【０４４８】
これに加えて入力部７１では、例えば、番号入力用操作キー４０の操作面実温度が目標温度よりも低い場合に生じると想定される、当該操作面実温度及び目標温度の温度差が複数の範囲（以下、これらをそれぞれ温度差範囲とも呼ぶ）に区分されている。
【０４４９】
また入力部７１では、その温度差範囲毎に、当該温度差範囲内の温度差に応じて、発熱素子５１Ａ乃至５１Ｊの発熱用の、規定電流値とは異なる電流値（以下、これを可変電流値とも呼ぶ）が予め選定されている。
【０４５０】
因みに、温度差範囲毎の可変電流値は、例えば、当該温度差範囲内の温度差が大きいほど、発熱素子５１Ａ乃至５１Ｊの発熱量を増加させ得るように大きな値に選定されている。
【０４５１】
そして複数の電流値設定回路８３Ａ乃至８３Ｊは、規定電流値を予め保持すると共に、複数の温度差範囲及び複数の可変電流値を対応付けて予め保持している。
【０４５２】
加熱処理部７８において温度制御部８５は、係る構成のもと、第２温度変化処理を実行すると、主制御部７２から複数の番号入力用操作キー４０の加熱の開始が指示されることを待ち受ける。
【０４５３】
そして温度制御部８５は、主制御部７２から複数の番号入力用操作キー４０の加熱の開始が指示されると、これに応じて複数の電流値設定回路８３Ａ乃至８３Ｊ及びデジタルアナログ変換回路８４Ａ乃至８４Ｊを動作させる。
【０４５４】
この際、複数の電流値設定回路８３Ａ乃至８３Ｊは、それぞれ対応する発熱素子５１Ａ乃至５１Ｊを発熱させるための発熱制御電流の設定電流値を、予め保持している規定電流値に初期設定する。
【０４５５】
これにより複数の電流値設定回路８３Ａ乃至８３Ｊは、初期設定した規定電流値をもとに、その規定電流値に応じたレベルの発熱制御データを生成して、当該生成した発熱制御データを、対応するデジタルアナログ変換回路８４Ａ乃至８４Ｊに送出する。
【０４５６】
また複数のデジタルアナログ変換回路８４Ａ乃至８４Ｊは、対応する電流値設定回路８３Ａ乃至８３Ｊから与えられた発熱制御データをデジタルアナログ変換処理することにより、規定電流値の発熱制御電流を生成して、当該生成した発熱制御電流を対応する発熱素子５１Ａ乃至５１Ｊに供給する。
【０４５７】
これにより温度制御部８５は、複数の発熱素子５１Ａ乃至５１Ｊをそれぞれ規定電流値の発熱制御電流によって発熱させると共に、当該複数の発熱素子５１Ａ乃至５１Ｊの発熱によって複数の番号入力用操作キー４０を加熱する。
【０４５８】
そして温度制御部８５は、主制御部７２から、複数の番号入力用操作キー４０の加熱中に温度変化状況の問い合わせがあると、その都度、複数のアナログデジタル変換回路８０Ａ乃至８０Ｊ、温度検出比較回路８１及び温度情報保持部８２を追加で動作させる。
【０４５９】
複数のアナログデジタル変換回路８０Ａ乃至８０Ｊは、温度変化状況の問い合わせに応じて動作すると、それぞれ対応する温度センサ７６Ａ乃至７６Ｊから出力された温度検出信号を取り込んでアナログデジタル変換処理することにより、当該温度センサ７６Ａ乃至７６Ｊによって検出された温度に応じたレベルの検出温度データを生成する。
【０４６０】
また温度検出比較回路８１は、温度変化状況の問い合わせに応じて動作すると、複数の番号入力用操作キー４０それぞれに対する温度検出比較処理を時分割で実行するようにして、当該温度検出比較処理を実行する毎に、複数のアナログデジタル変換回路８０Ａ乃至８０Ｊのうちの１個から検出温度データを順に取り込む。
【０４６１】
温度検出比較回路８１は、温度検出比較処理を実行して何れか１個のアナログデジタル変換回路８０Ａ乃至８０Ｊから検出温度データを取り込むと、その検出温度データと、温度情報保持部８２が保持している、対応する温度検出テーブルとに基づき、番号入力用操作キー４０の操作面実温度を検出する。
【０４６２】
また温度検出比較回路８１は、その検出した操作面実温度を、温度情報保持部８２が目標温度情報として保持している目標温度と比較する。
【０４６３】
その結果、温度検出比較回路８１は、操作面実温度が目標温度よりも低いと、番号入力用操作キー４０の操作面４０Ａの温度の上昇を加速させる必要があるため、目標温度から操作面温度を減算するようにして温度差（すなわち、操作面実温度と目標温度との温度差）を検出する。
【０４６４】
そして温度検出比較回路８１は、その検出した温度差を示す温度差データを、対応する電流値設定回路８３Ａ乃至８３Ｊに送出すると共に、温度制御部８５にも送出する。
【０４６５】
ただし、温度検出比較回路８１は、操作面実温度と目標温度とを比較した結果、当該操作面実温度が目標温度以上であると、番号入力用操作キー４０の操作面４０Ａの温度の上昇を加速させる必要はないため、温度差として０℃を示す温度差データを生成して、対応する電流値設定回路８３Ａ乃至８３Ｊに送出すると共に、温度制御部８５にも送出する。
【０４６６】
このようにして温度検出比較回路８１は、温度検出比較処理を順次実行する毎に、対応する１個のアナログデジタル変換回路８０Ａ乃至８０Ｊから検出温度データを取り込んで温度差データを生成して、対応する１個の電流値設定回路８３Ａ乃至８３Ｊに送出すると共に、温度制御部８５に送出する。
【０４６７】
複数の電流値設定回路８３Ａ乃至８３Ｊは、温度変化状況の問い合わせに応じて動作している温度検出比較回路８１から温度差データが与えられると、その温度差データに基づき、対応する発熱素子５１Ａ乃至５１Ｊを発熱させるための発熱制御電流の設定電流値を適宜設定し直す。
【０４６８】
すなわち、電流値設定回路８３Ａ乃至８３Ｊは、温度差データが示す温度差が０℃よりも大きいと、その温度差が含まれる温度差範囲を特定して、当該特定した温度差範囲に対応する可変電流値を検出する。
【０４６９】
そして複数の電流値設定回路８３Ａ乃至８３Ｊは、この際、対応する発熱素子５１Ａ乃至５１Ｊを発熱させるための発熱制御電流の設定電流値が、初期設定していた規定電流値であると、当該設定電流値を、規定電流値に換えて、このとき検出した可変電流値に設定し直す。
【０４７０】
また複数の電流値設定回路８３Ａ乃至８３Ｊは、この際、対応する発熱素子５１Ａ乃至５１Ｊを発熱させるための発熱制御電流の設定電流値が、すでに設定し直していた可変電流値であると、当該すでに設定し直していた可変電流値と、このとき検出した可変電流値とを比較する。
【０４７１】
その結果、複数の電流値設定回路８３Ａ乃至８３Ｊは、すでに設定し直していた可変電流値と、このとき検出した可変電流値とが異なると、設定電流値を、当該すでに設定し直していた可変電流値に換えて、このとき検出した可変電流値を設定し直す。
【０４７２】
これに対し複数の電流値設定回路８３Ａ乃至８３Ｊは、すでに設定し直していた可変電流値と、このとき検出した可変電流値とが同一であると、設定電流値を、当該すでに設定し直していた可変電流値のままにして設定の変更は行わない。
【０４７３】
また複数の電流値設定回路８３Ａ乃至８３Ｊは、温度検出比較回路８１から与えられた温度差データが示す温度差が０℃であり、対応する発熱素子５１Ａ乃至５１Ｊを発熱させるための発熱制御電流の設定電流値がすでに設定し直していた可変電流値であると、当該設定電流値を、すでに設定し直していた可変電流値に換えて、規定電流値に設定し直す。
【０４７４】
さらに複数の電流値設定回路８３Ａ乃至８３Ｊは、温度検出比較回路８１から与えられた温度差データが示す温度差が０℃であり、対応する発熱素子５１Ａ乃至５１Ｊを発熱させるための発熱制御電流の設定電流値が初期設定していた規定電流値であると、当該設定電流値を、初期設定していた規定電流値のままにして設定の変更は行わない。
【０４７５】
このようにして複数の電流値設定回路８３Ａ乃至８３Ｊは、対応する発熱素子５１Ａ乃至５１Ｊを発熱させるための発熱制御電流の設定電流値を設定し直した場合は、設定変更後の可変電流値又は規定電流値に応じたレベルの発熱制御データを生成する。
【０４７６】
また複数の電流値設定回路８３Ａ乃至８３Ｊは、対応する発熱素子５１Ａ乃至５１Ｊを発熱させるための発熱制御電流の設定電流値を設定変更していない場合は、その設定変更していない可変電流値又は規定電流値に応じたレベルの発熱制御データを生成する。
【０４７７】
そして複数の電流値設定回路８３Ａ乃至８３Ｊは、このようにして生成し発熱制御データを、対応するデジタルアナログ変換回路８４Ａ乃至８４Ｊに送出する。
【０４７８】
よって複数のデジタルアナログ変換回路８４Ａ乃至８４Ｊは、この際、対応する電流値設定回路８３Ａ乃至８３Ｊから与えられた発熱制御データを上述と同様にデジタルアナログ変換処理することにより、可変電流値又は規定電流値の発熱制御電流を生成する。
【０４７９】
そして複数のデジタルアナログ変換回路８４Ａ乃至８４Ｊは、可変電流値又は規定電流値の発熱制御電流を、対応する発熱素子５１Ａ乃至５１Ｊに供給して発熱させて複数の番号入力用操作キー４０を加熱させる。
【０４８０】
このようにして温度制御部８５は、複数のデジタルアナログ変換回路８４Ａ乃至８４Ｊから可変電流値の発熱制御電流を、対応する発熱素子５１Ａ乃至５１Ｊに供給した場合、規定電流値の発熱制御電流を供給する場合に比して発熱量を増大させて、複数の番号入力用操作キー４０の操作面実温度の上昇を加速させることができる。
【０４８１】
また温度制御部８５は、この際、複数の番号入力用操作キー４０の操作面実温度が目標温度に比して低いほど、複数のデジタルアナログ変換回路８４Ａ乃至８４Ｊから可変電流値の大きい発熱制御電流を、対応する発熱素子５１Ａ乃至５１Ｊに供給して発熱量を大幅に増大させることで、複数の番号入力用操作キー４０の操作面実温度の上昇を大幅に加速させることができる。
【０４８２】
これに対し温度制御部８５は、複数のデジタルアナログ変換回路８４Ａ乃至８４Ｊから規定電流値の発熱制御電流を、対応する発熱素子５１Ａ乃至５１Ｊに供給した場合に、複数の番号入力用操作キー４０において操作面実温度がすでに目標温度まで上昇していると、当該操作面実温度を目標温度のままほぼ一定にすることができる。
【０４８３】
また温度制御部８５は、複数のデジタルアナログ変換回路８４Ａ乃至８４Ｊから規定電流値の発熱制御電流を、対応する発熱素子５１Ａ乃至５１Ｊに供給した場合に、複数の番号入力用操作キー４０において操作面実温度が目標温度を僅かに上回っていると、当該操作面実温度を目標温度に収束させることができる。
【０４８４】
ところで、温度制御部８５は、温度変化状況の問い合わせに応じて動作させた温度検出比較回路８１から例えば、複数の番号入力用操作キー４０分の温度差データが与えられると、これら温度差データに基づいて、少なくとも１個以上の番号入力用操作キー４０において操作面実温度が目標温度よりも低いかを判別する。
【０４８５】
その結果、温度制御部８５は、複数の番号入力用操作キー４０の少なくとも１個以上において操作面実温度が目標温度よりも低いと、主制御部７２に操作面実温度が目標温度まで上昇していないことを通知する。
【０４８６】
また温度制御部８５は、複数の番号入力用操作キー４０の全てにおいて操作面実温度が目標温度まで上昇していると、主制御部７２に操作面実温度が目標温度まで上昇していることを通知する。
【０４８７】
このようにして温度制御部８５は、主制御部７２から温度変化状況の問い合わせがある毎に、複数の番号入力用操作キー４０各々の操作面実温度に応じて、当該複数の番号入力用操作キー４０を加熱するための複数の発熱素子５１Ａ乃至５１Ｊの発熱量を適宜変更して、操作面実温度を目標温度まで上昇させるための加熱に要する時間を極力短くすることができる。
【０４８８】
また温度制御部８５は、主制御部７２から温度変化状況の問い合わせがある毎に、当該主制御部７２に複数の番号入力用操作キー４０の操作面実温度の変化の状況を通知して把握させることができる。
【０４８９】
（２−５）第２暗証番号入力処理手順
次いで、図７（Ａ）及び（Ｂ）並びに図８（Ａ）及び（Ｂ）との対応部分に同一符号を付した図１３（Ａ）及び（Ｂ）乃至図１５（Ａ）及び（Ｂ）に示すフローチャートを用いて、主制御部７２が実行する第２取引案内処理手順ＲＴ３及び温度制御部８５が実行する第２温度変化処理手順ＲＴ４からなる第２暗証番号入力処理手順について説明する。
【０４９０】
主制御部７２は、例えば、外部から作業者により取引業務の開始やメンテナンスの完了に応じて起動が指示されて起動すると、内部のメモリに予め記憶されている第２取引案内処理プログラムに従い図１３（Ａ）乃至図１５（Ａ）に示す第２取引案内処理手順ＲＴ３を開始する。
【０４９１】
主制御部７２は、係る第２取引案内処理手順ＲＴ３を開始すると、ステップＳＰ１乃至ステップＳＰ９の処理を順次実行する。
【０４９２】
そしてステップＳＰ９において主制御部７２は、顧客により取引項目として紙幣の出金が選択されたことで、肯定結果を得ると、次のステップＳＰ３１に移る。
【０４９３】
ステップＳＰ３１において主制御部７２は、温度制御部８５に複数の番号入力用操作キー４０の操作面４０Ａにおける温度変化状況を問い合わせて、次のステップＳＰ３２に移る。
【０４９４】
ここで、温度制御部８５は、例えば、主制御部７２から起動が指示されて起動すると、内部のメモリに予め記憶されている第２温度変化処理プログラムに従い図１３（Ｂ）乃至図１５（Ｂ）に示す第２温度変化処理手順ＲＴ４を開始している。
【０４９５】
温度制御部８５は、係る第２温度変化処理手順ＲＴ４を開始すると、ステップＳＰ２１乃至ステップＳＰ２３の処理を順次実行して、複数の番号入力用操作キー４０の加熱を開始した後、ステップＳＰ４１に移る。
【０４９６】
ステップＳＰ４１において温度制御部８５は、主制御部７２から温度変化状況の問い合わせがあったか否かを判別する。
【０４９７】
このステップＳＰ４１において否定結果が得られると、このことは、例えば、取引のために訪れた顧客により未だ取引項目が選択されていないことを表している。ステップＳＰ４１において温度制御部８５は、係る否定結果を得ると、ステップＳＰ２４に移る。そしてステップＳＰ２４において温度制御部８５は、否定結果を得ると、ステップＳＰ４１に戻る。
【０４９８】
これにより温度制御部８５は、この後、ステップＳＰ４１及びステップＳＰ２４の何れかにおいて肯定結果を得るまでの間、当該ステップＳＰ４１及びステップＳＰ２４の処理を循環的に繰り返し実行する。
【０４９９】
このようにして温度制御部８５は、主制御部７２から温度変化状況の問い合わせがあること、また当該主制御部７２から複数の番号入力用操作キー４０の加熱の終了が指示されることを待ち受ける。
【０５００】
そしてステップＳＰ４１において肯定結果が得られると、このことは取引のために訪れた顧客により取引項目として紙幣の出金が選択されたため、主制御部７２から温度変化状況の問い合わせがあったことを表している。ステップＳＰ４１において温度制御部８５は、係る肯定結果を得ると、次のステップＳＰ４２に移る。
【０５０１】
ステップＳＰ４２において温度制御部８５は、複数の番号入力用操作キー４０各々の操作面実温度を検出すると共に、当該検出した操作面実温度を目標温度と比較して、次のステップＳＰ４３に移る。
【０５０２】
ステップＳＰ４３において温度制御部８５は、操作面実温度と目標温度との比較結果に応じて、番号入力用操作キー４０の操作面実温度が目標温度よりも低い場合は、規定電流値よりも大きい可変電流値の発熱制御電流で、対応する発熱素子５１Ａ乃至５１Ｊを発熱させる。
【０５０３】
また温度制御部８５は、操作面実温度と目標温度との比較結果に応じて、番号入力用操作キー４０の操作面実温度が目標温度以上の場合は、規定電流値の発熱制御電流で、対応する発熱素子５１Ａ乃至５１Ｊを発熱させて、次のステップＳＰ４４に移る。
【０５０４】
ステップＳＰ４４において温度制御部８５は、複数の番号入力用操作キー４０分の操作面実温度と目標温度との比較結果に応じて、少なくとも１個以上の番号入力用操作キー４０において操作面実温度が目標温度よりも低いか否かを判別する。
【０５０５】
このステップＳＰ４４において肯定結果が得られると、このことは複数の番号入力用操作キー４０の中に未だ操作面実温度が目標温度まで上昇していないものがあることを表している。ステップＳＰ４４において温度制御部８５は、係る肯定結果を得ると、次のステップＳＰ４５に移る。
【０５０６】
これによりステップＳＰ４５において温度制御部８５は、主制御部７２に操作面実温度が目標温度まで上昇していないことを通知した後、ステップＳＰ４１に戻る。
【０５０７】
またステップＳＰ４４において否定結果が得られると、このことは複数の番号入力用操作キー４０の全てにおいて操作面実温度が目標温度まで上昇していることを表している。ステップＳＰ４４において温度制御部８５は、係る否定結果を得ると、ステップＳＰ４６に移る。
【０５０８】
これによりステップＳＰ４６において温度制御部８５は、主制御部７２に操作面実温度が目標温度まで上昇していることを通知した後、ステップＳＰ４１に戻る。
【０５０９】
このようにして温度制御部８５は、この後、主制御部７２により複数の番号入力用操作キー４０の加熱の終了が指示されるまでの間は、当該主制御部７２から温度変化状況の問い合わせがある毎に、ステップＳＰ４１乃至ステップＳＰ４６の処理を循環的に繰り返し実行して、主制御部７２に複数の番号入力用操作キー４０の操作面実温度が目標温度まで上昇したか否かを通知する。
【０５１０】
そしてステップＳＰ２４において温度制御部８５は、主制御部７２により複数の番号入力用操作キー４０の加熱の終了が指示されて肯定結果を得ると、次のステップＳＰ２５の処理を実行した後、ステップＳＰ２２に移る。
【０５１１】
またステップＳＰ２２において温度制御部８５は、例えば、主制御部７２により動作を停止させるように指示されて肯定結果を得ると、次のステップＳＰ４７に移って第２温度変化処理手順ＲＴ４を終了する。
【０５１２】
ところで、上述のステップＳＰ３２において主制御部７２は、温度制御部８５から温度変化状況の問い合わせに応じた通知を受ける。
【０５１３】
そして主制御部７２は、その通知が複数の番号入力用操作キー４０の操作面実温度が目標温度まで上昇したことの通知であるか否かを判別する。
【０５１４】
このステップＳＰ３２において否定結果が得られると、このことは、未だ少なくとも１個以上の番号入力用操作キー４０の操作面実温度が目標温度まで上昇していないため、この状態で顧客に暗証番号を入力させると、第三者によりサーモグラフィが用いられて複数の番号入力用操作キー４０の操作面実温度が検出された場合に暗証番号が不正に取得される可能性があることを表している。ステップＳＰ３２において主制御部７２は、係る否定結果を得ると、ステップＳＰ３３に移る。
【０５１５】
よってステップＳＰ３３において主制御部７２は、表示部７に対し項目選択案内画像に換えて待機案内画像を表示することにより、その待機案内画像により顧客に現金自動預払機７０の前で待機するように促して、暗証番号は未だ入力させずに、ステップＳＰ３１に戻る。
【０５１６】
これにより主制御部７２は、この後、ステップＳＰ３２で肯定結果を得るまでの間は、ステップＳＰ３１乃至ステップＳＰ３３の処理を循環的に繰り返し実行する。
【０５１７】
このようにして主制御部７２は、温度制御部８５に温度変化状況を定期的に問い合わせるようにして、複数の番号入力用操作キー４０の操作面実温度の上昇を加速させながら、当該複数の番号入力用操作キー４０の操作面実温度が目標温度まで上昇することを待ち受ける。
【０５１８】
そしてステップＳＰ３２において肯定結果が得られると、このことは、複数の番号入力用操作キー４０の操作面実温度が目標温度まで上昇したため、この状態で顧客に暗証番号を入力させると、第三者によりサーモグラフィが用いられて複数の番号入力用操作キー４０の操作面実温度が検出されても、暗証番号の不正な取得を防止し得ることを表している。ステップＳＰ３２において主制御部７２は、係る肯定結果を得ると、次のステップＳＰ１０に移る。
【０５１９】
これによりステップＳＰ１０において主制御部７２は、表示部７に対し待機案内画像（又は項目選択案内画像）に換えて暗証番号入力案内画像を表示して、その暗証番号入力案内画像により顧客に暗証番号の入力を促して、次のステップＳＰ１１に移る。
【０５２０】
そしてステップＳＰ１１において主制御部７２は、顧客に複数の番号入力用操作キー４０を、操作面実温度が目標温度まで上昇した操作面４０Ａに手の指先を接触させるようにして押下操作させて暗証番号を入力させた後、ステップＳＰ１２乃至ステップＳＰ１４の処理を順次実行して、次のステップＳＰ２に移る。
【０５２１】
またステップＳＰ２において主制御部７２は、外部から動作の停止が指示されて肯定結果を得ると、次のステップＳＰ３４に移って第２取引案内処理手順ＲＴ３を収納する。
【０５２２】
このようにして主制御部７２及び温度制御部８５は、第２取引案内処理手順ＲＴ３及び第２温度変化処理手順ＲＴ４からなる第２暗証番号入力処理手順を全て終了する。
【０５２３】
（２−６）第２の実施の形態の動作及び効果
以上の構成において、現金自動預払機７０では、暗証番号の入力に用いられる押下操作可能な番号入力用操作キー４０を有する入力部７１に、複数の発熱素子５１Ａ乃至５１Ｊを当該複数の番号入力用操作キー４０のキー下面４０Ｂに接触させて設けるようにした。
【０５２４】
また現金自動預払機７０は、入力部７１に複数の番号入力用操作キー４０の操作面実温度を検出するための複数の温度センサ７６Ａ乃至７６Ｊを設けるようにした。
【０５２５】
そして現金自動預払機７０は、顧客が取引のために訪れて入力部７１と対峙すると、複数の発熱素子５１Ａ乃至５１Ｊを発熱させて複数の番号入力用操作キー４０の加熱を開始する。
【０５２６】
また現金自動預払機７０は、このように複数の番号入力用操作キー４０を加熱している状態で、顧客により所望の取引として暗証番号の入力が必要な紙幣の出金が選択されると、複数の温度センサ７６Ａ乃至７６Ｊを用いて複数の番号入力用操作キー４０の操作面実温度を検出するようにして、当該検出した操作面実温度が手の指先の温度とほぼ等しい目標温度まで上昇したか否かを確認する。
【０５２７】
その結果、現金自動預払機７０は、複数の番号入力用操作キー４０の操作面実温度が目標温度まで上昇していないと、顧客に暗証番号を入力させないように待機させる。
【０５２８】
そして現金自動預払機７０は、複数の番号入力用操作キー４０の操作面実温度が目標温度まで上昇したことを確認すると、顧客に当該複数の番号入力用操作キー４０を、操作面実温度が目標温度まで上昇した操作面４０Ａに手の指先を接触させるようにして押下操作させて暗証番号を入力させる。
【０５２９】
従って現金自動預払機７０は、顧客に操作面実温度が目標温度よりも低い複数の番号入力用操作キー４０を押下操作させて暗証番号を入力させてしまい、操作面４０Ａにおいて手の指先の接触部分の温度が変化することをほぼ確実に防止することができる。
【０５３０】
以上の構成によれば、現金自動預払機７０は、暗証番号の入力に用いられる押下操作可能な番号入力用操作キー４０を有する入力部７１に複数の発熱素子５１Ａ乃至５１Ｊと共に複数の温度センサ７６Ａ乃至７６Ｊを設け、顧客が入力部７１と対峙すると、複数の発熱素子５１Ａ乃至５１Ｊを発熱させて複数の番号入力用操作キー４０の加熱を開始し、顧客により所望の取引として紙幣の出金が選択されたときには、複数の温度センサ７６Ａ乃至７６Ｊを用いて複数の番号入力用操作キー４０の操作面実温度を検出するようにして、当該検出した操作面実温度が手の指先の温度とほぼ等しい目標温度まで上昇したことを確認したうえで、顧客に当該複数の番号入力用操作キー４０を押下操作させて暗証番号を入力させるようにした。
【０５３１】
これにより現金自動預払機７０は、上述した第１の実施の形態によって得られる効果と同様の効果を得ることができると共に、これに加えて顧客に操作面実温度が目標温度よりも低い複数の番号入力用操作キー４０を押下操作させて暗証番号を入力させてしまい、操作面４０Ａにおいて手の指先の接触部分の温度が変化することをほぼ確実に防止することができる。
【０５３２】
また現金自動預払機７０は、複数の番号入力用操作キー４０の操作面実温度が目標温度まで上昇したか否かを確認した際に、当該操作面実温度が目標温度よりも低いと、複数の発熱素子５１Ａ乃至５１Ｊの発熱量を増大させて複数の番号入力用操作キー４０を加熱するようにした。
【０５３３】
従って現金自動預払機７０は、目標温度と加熱前の複数の番号入力用操作キー４０の操作面実温度との温度差が比較的大きい場合でも、操作面実温度を目標温度まで上昇させるための当該複数の番号入力用操作キー４０の加熱時間を極力短くすることができる。
【０５３４】
さらに現金自動預払機７０は、複数の番号入力用操作キー４０の操作面実温度が目標温度まで上昇したか否かを確認した結果、当該操作面実温度が目標温度よりも低いために複数の発熱素子５１Ａ乃至５１Ｊの発熱量を増大させて複数の番号入力用操作キー４０を加熱しても、操作面実温度が目標温度まで上昇したときには、複数の発熱素子５１Ａ乃至５１Ｊの発熱量を増大前に戻して複数の番号入力用操作キー４０を加熱するようにした。
【０５３５】
従って現金自動預払機７０は、操作面実温度が目標温度よりも低いために複数の発熱素子５１Ａ乃至５１Ｊの発熱量を増大させて複数の番号入力用操作キー４０を加熱した場合、当該操作面実温度が目標温度まで上昇した後も、複数の発熱素子５１Ａ乃至５１Ｊの増大させていた発熱量によって複数の番号入力用操作キー４０を加熱し続けて、操作実温度が目標温度よりも著しく高くなることを防止することができる。
【０５３６】
すなわち、現金自動預払機７０は、操作面実温度が目標温度よりも低いために複数の発熱素子５１Ａ乃至５１Ｊの発熱量を増大させて複数の番号入力用操作キー４０を加熱していても、顧客に当該複数の番号入力用操作キー４０を押下操作させて暗証番号を入力させる際には、操作面実温度が手の指先の温度とほぼ等しい目標温度よりも著しく高いために操作面４０Ａにおいて手の指先の接触部分の温度が変化することを防止することができる。
【０５３７】
（３）他の実施の形態
（３−１）他の実施の形態１
なお上述した第１の実施の形態においては、顧客が入力部６と対峙したことに応じて複数の番号入力用操作キー４０の加熱を開始して操作面実温度を目標温度まで上昇させるようにした場合について述べた。
【０５３８】
しかしながら本発明は、これに限らず、入力部６において操作連動部４６の複数の番号入力用押子４６Ｂそれぞれの基板配置用凹部４６ＢＹ内の中央部に、複数の番号入力用操作キー４０を手の指先の温度よりも低い所定温度まで冷却するための例えば、ペルチェ素子のような冷却素子が実装された配線基板を配置するようにして、当該冷却素子の表面を、対応する番号入力用操作キー４０のキー下面４０Ｂに接触させる。
【０５３９】
そして本発明は、暗証番号が入力される際、複数の冷却素子を介して複数の番号入力用操作キー４０を冷却するようにしても良い。
【０５４０】
また本発明は、複数の冷却素子による複数の番号入力用操作キー４０の冷却を、例えば、顧客が入力部６と対峙したことを検出した時点や、顧客が出金用の紙幣を受け取って現金自動預払機１の前から離れたことを検出した時点、暗証番号の入力直後等のように、当該顧客が入力部６と対峙したことを検出した時点から顧客が出金用の紙幣を受け取って現金自動預払機１の前から離れたことを検出した時点までの間の種々のタイミングで開始するようにしても良い。
【０５４１】
本発明は、係る構成によれば、顧客が暗証番号の入力用の複数の番号入力用操作キー４０を押下操作したことで、操作面４０Ａにおいて手の指先の接触部分の温度が上昇するように変化しても、当該接触部分の温度を速やかに下げることができる。
【０５４２】
よって本発明は、係る構成によれば、例えば、顧客が出金用の紙幣を受け取って現金自動預払機１の前から離れた直後に、第三者がサーモグラフィを用いて複数の番号入力用操作キー４０の操作面４０Ａの温度を検出しても、その検出した温度からでは暗証番号を不正に取得し得ないようにすることができる。
【０５４３】
ところで、本発明は、係る構成の場合、例えば、図１６（Ａ）乃至（Ｃ）に示すように、番号入力用操作キー８７乃至８９の操作面８７Ａ乃至８９Ａに複数の溝部や微細な孔部を所定パターンで形成するようにしても良い。
【０５４４】
本発明は、このような番号入力用操作キー８７乃至８９を用いることで、当該番号入力用操作キー８７乃至８９の操作面８７Ａ乃至８９Ａの面積を、平坦な場合よりも大きくして放熱効率を向上させ、当該操作面８７Ａ乃至８９Ａの温度を低下させ易くすることができる。
【０５４５】
（３−２）他の実施の形態２
また上述した第２の実施の形態においては、温度制御部８５が主制御部７２から温度変化状況の問い合わせがある毎に、複数の番号入力用操作キー４０の操作面実温度を検出して目標温度と比較し、その比較結果に応じて規定電流値又は可変電流値の発熱制御電流を複数の発熱素子５１Ａ乃至５１Ｊに供給して発熱量を適宜変更するようにした場合について述べた。
【０５４６】
しかしながら本発明は、これに限らず、温度制御部８５が主制御部７２から温度変化状況の問い合わせがある毎に、その主制御部７２への返答用に、複数の番号入力用操作キー４０の操作面実温度を検出して目標温度と比較するものの、規定電流値の発熱制御電流を複数の発熱素子５１Ａ乃至５１Ｊに供給し続けるようにして発熱量を変更しないようにしても良い。
【０５４７】
ここで、係る構成を、図１３（Ａ）及び（Ｂ）乃至図１５（Ａ）及び（Ｂ）との対応部分に同一符号を付した図１７（Ａ）及び（Ｂ）乃至図１９（Ａ）及び（Ｂ）に示すフローチャートを用いて、主制御部７２が実行する第２取引案内処理手順ＲＴ３及び温度制御部８５が実行する第３温度変化処理手順ＲＴ５からなる第３暗証番号入力処理手順として説明する。
【０５４８】
すなわち、温度制御部８５は、例えば、主制御部７２から起動が指示されて起動すると、内部のメモリに予め記憶されている第３温度変化処理プログラムに従い図１７（Ｂ）乃至図１９（Ｂ）に示す第３温度変化処理手順ＲＴ５を開始する。
【０５４９】
温度制御部８５は、係る第３温度変化処理手順ＲＴ５を開始すると、ステップＳＰ２１乃至ステップＳＰ２３の処理を順次実行して、複数の番号入力用操作キー４０の加熱を開始した後、ステップＳＰ４１に移る。
【０５５０】
ステップＳＰ４１において温度制御部８５は、主制御部７２から温度変化状況の問い合わせがあったことで、肯定結果を得ると、次のステップＳＰ４２に移る。
【０５５１】
そしてステップＳＰ４２において温度制御部８５は、複数の番号入力用操作キー４０各々の操作面実温度を検出すると共に、当該検出した操作面実温度を目標温度と比較すると、次のステップＳＰ４４に移る。
【０５５２】
これによりステップＳＰ４４において温度制御部８５は、複数の番号入力用操作キー４０分の操作面実温度と目標温度との比較結果に応じて、少なくとも１個以上の番号入力用操作キー４０において操作面実温度が目標温度よりも低いか否かを判別する。
【０５５３】
そしてステップＳＰ４４において温度制御部８５は、複数の番号入力用操作キー４０の中に未だ操作面実温度が目標温度まで上昇していないものがあるために肯定結果を得ると、次のステップＳＰ４５に移る。
【０５５４】
よってステップＳＰ４５において温度制御部８５は、主制御部７２に操作面実温度が目標温度まで上昇していないことを通知した後、ステップＳＰ４１に戻る。
【０５５５】
またステップＳＰ４４において温度制御部８５は、複数の番号入力用操作キー４０の全てにおいて操作面実温度が目標温度まで上昇しているために否定結果を得ると、ステップＳＰ４６に移る。
【０５５６】
よってステップＳＰ４６において温度制御部８５は、主制御部７２に操作面実温度が目標温度まで上昇していることを通知した後、ステップＳＰ４１に戻る。
【０５５７】
このようにして温度制御部８５は、この後、主制御部７２により複数の番号入力用操作キー４０の加熱の終了が指示されるまでの間は、当該主制御部７２から温度変化状況の問い合わせがある毎に、ステップＳＰ４１、ステップＳＰ４２、ステップＳＰ４４乃至ステップＳＰ４６の処理を循環的に繰り返し実行して、主制御部７２に複数の番号入力用操作キー４０の操作面実温度が目標温度まで上昇したか否かを通知する。
【０５５８】
そしてステップＳＰ２４において温度制御部８５は、主制御部７２により複数の番号入力用操作キー４０の加熱の終了が指示されて肯定結果を得ると、次のステップＳＰ２５の処理を実行した後、ステップＳＰ２２に移る。
【０５５９】
またステップＳＰ２２において温度制御部８５は、例えば、主制御部７２から動作を停止させるように指示されて肯定結果を得ると、次のステップＳＰ５１に移って第３温度変化処理手順ＲＴ５を終了する。
【０５６０】
本発明は、係る構成によれば、複数の番号入力用操作キー４０の操作面実温度が目標温度より低い場合でも、加熱処理部７８において複数の発熱素子５１Ａ乃至５１Ｊに供給する発熱制御電流の電流値を変更しないため、処理負荷を低減させることができる。
【０５６１】
ところで、本発明は、温度制御部８５が、複数の番号入力用操作キー４０の加熱を開始すると、定期的に操作面実温度を検出して目標温度と比較し、その比較結果に応じて規定電流値又は可変電流値の発熱制御電流を複数の発熱素子５１Ａ乃至５１Ｊに供給して発熱量を適宜変更するようにしても良い。
【０５６２】
そして本発明は、温度制御部８５が、主制御部７２から温度変化状況の問い合わせがあったときには、その直前に得ていた操作面実温度と目標温度との比較結果に応じて、主制御部７２に複数の番号入力用操作キー４０の操作面実温度が目標温度まで上昇したか否かを通知するようにしても良い。
【０５６３】
本発明は、係る構成によれば、温度制御部８５が、複数の番号入力用操作キー４０の加熱の開始直後から操作面実温度を監視するようにして複数の発熱素子５１Ａ乃至５１Ｊの発熱量を適宜変更するため、当該複数の番号入力用操作キー４０の操作面実温度を目標温度まで上昇させるための加熱時間を大幅に短縮することができる。
【０５６４】
（３−３）他の実施の形態３
さらに上述した第２の実施の形態においては、温度制御部８５が、複数の可変電流値を用意しておき、複数の番号入力用操作キー４０の操作面実温度が目標温度よりも低いと、操作面実温度と目標温度との温度差に応じた可変電流値の発熱制御電流を複数の発熱素子５１Ａ乃至５１Ｊに供給して発熱量を変更するようにした場合について述べた。
【０５６５】
しかしながら本発明は、これに限らず、温度制御部８５が、規定電流値よりも大きい可変電流値を１つだけ用意しておき、複数の番号入力用操作キー４０の操作面実温度が目標温度よりも低い場合に、操作面実温度と目標温度との温度差に関わらずに当該１の可変電流値の発熱制御電流を複数の発熱素子５１Ａ乃至５１Ｊに供給して発熱量を変更するようにしても良い。
【０５６６】
本発明は、係る構成によれば、温度制御部８５が、操作面実温度と目標温度との温度差に応じて可変電流値を使い分ける必要がないため、複数の番号入力用操作キー４０の加熱の際の処理負荷を低減させることができる。
【０５６７】
（３−４）他の実施の形態４
さらに上述した第２の実施の形態においては、入力部７１において発熱用配線基板７５に実装された温度センサ７６Ａ乃至７６Ｊを、対応する番号入力用操作キー４０のキー下面４０Ｂから離隔させて配置するようにした場合について述べた。
【０５６８】
しかしながら本発明は、これに限らず、入力部７１において発熱用配線基板７５に実装された温度センサ７６Ａ乃至７６Ｊを、対応する番号入力用操作キー４０のキー下面４０Ｂに接触させて配置するようにしても良い。
【０５６９】
本発明は、係る構成によれば、複数の温度センサ７６Ａ乃至７６Ｊにより、複数の番号入力用操作キー４０近傍の空間の温度ではなく、当該複数の番号入力用操作キー４０の表面の温度を直接検出することができる。
【０５７０】
よって本発明は、係る構成によれば、上述した第２の実施の形態の場合よりも、複数の温度センサ７６Ａ乃至７６Ｊの検出精度に与える、現金自動預払機７０の周囲の温度の影響を低減して、複数の番号入力用操作キー４０の操作面実温度の検出精度を向上させることができる。
【０５７１】
ところで、本発明は、図１１との対応部分に同一符号を付した図２０に示すように、入力部９０において発熱用配線基板９１の一面の中央部に発熱素子５１Ａ乃至５１Ｊを実装する。
【０５７２】
また本発明は、発熱用配線基板９１の一面の縁部に温度センサ７６Ａ乃至７６Ｊを実装するものの、当該温度センサ７６Ａ乃至７６Ｊ及び発熱素子５１Ａ乃至５１Ｊ間の距離を、発熱素子５１Ａ乃至５１Ｊの表面及び番号入力用操作キー９２の操作面９２Ａ間の距離と等しくする。
【０５７３】
さらに本発明は、番号入力用操作キー９２のキー下面９２Ｂに、発熱素子５１Ａ乃至５１Ｊの表面及び番号入力用操作キー９２の操作面９２Ａ間の距離と等しい幅を有する凸部９２ＢＸを設ける。
【０５７４】
そして本発明は、番号入力用操作キー９２のキー下面９２Ｂの凸部９２ＢＸを発熱素子５１Ａ乃至５１Ｊと温度センサ７６Ａ乃至７６Ｊとの間に介在させて、当該凸部９２ＢＸに発熱素子５１Ａ乃至５１Ｊ及び温度センサ７６Ａ乃至７６Ｊを接触させる。
【０５７５】
本発明は、係る構成によれば、発熱素子５１Ａ乃至５１Ｊと温度センサ７６Ａ乃至７６Ｊとの間に番号入力用操作キー９２のキー下面９２Ｂの凸部９２ＢＸが接触した状態で介在し、また温度センサ７６Ａ乃至７６Ｊ及び発熱素子５１Ａ乃至５１Ｊ間の距離と、発熱素子５１Ａ乃至５１Ｊの表面及び番号入力用操作キー９２の操作面９２Ａ間の距離とが等しいことにより、温度センサ７６Ａ乃至７６Ｊにより番号入力用操作キー９２の凸部９２ＢＸに対する接触部分の温度を操作面実温度として検出することができる。
【０５７６】
よって本発明は、係る構成によれば、加熱処理部７８において操作面実温度を検出するための処理が不要になり、また操作面実温度の検出に用いる温度検出テーブルも不要になるため、処理負荷及び回路規模を低減することができる。
【０５７７】
（３−５）他の実施の形態５
さらに上述した第１及び第２の実施の形態においては、暗証番号が入力される際、複数の番号入力用操作キー４０を加熱して、当該複数の番号入力用操作キー４０各々の操作面４０Ａ全体の温度を目標温度まで上昇させるようにした場合について述べた。
【０５７８】
しかしながら本発明は、これに限らず、例えば、複数の番号入力用操作キーを、熱伝導率の比較的低いステンレスで形成し、又は比較的小さい発熱素子を用いる。
【０５７９】
そして本発明は、暗証番号が入力される際、複数の番号入力用操作キーを加熱することにより、当該複数の番号入力用操作キーの操作面の一部の温度を目標温度まで上昇させるようにして、これら複数の番号入力用操作キーの操作面の温度をほぼ等しく変化させるようにしても良い。
【０５８０】
例えば、本発明は、図３との対応部分に同一符号を付した図２１に示すように、入力部９５にステンレスの複数の番号入力用操作キー９６を配置する。
【０５８１】
また本発明は、入力部９５において、上述した第１及び第２の実施の形態の場合の複数の発熱素子５１Ａ乃至５１Ｊと同一の大きさを有し、又は当該複数の発熱素子５１Ａ乃至５１Ｊの大きさよりも小さい複数の発熱素子（図示せず）を、複数の番号入力用操作キー９６のキー下面の中央部に接触させて配置する。
【０５８２】
そして本発明は、暗証番号が入力される際、複数の番号入力用操作キー９６を加熱して、当該複数の番号入力用操作キー９６各々の操作面９６Ａにおいて中央部分（図中の斜線部分）のみを目標温度まで上昇させるようにして、これら複数の番号入力用操作キー９６の操作面９６Ａの温度をほぼ等しく変化させるようにしても良い。
【０５８３】
また本発明は、図３との対応部分に同一符号を付した図２２に示すように、入力部９７にステンレスの複数の番号入力用操作キー９６を配置する。
【０５８４】
また本発明は、入力部９７において、上述した第１及び第２の実施の形態の場合の複数の発熱素子５１Ａ乃至５１Ｊの大きさや形状とは異なる大きさや形状を有する複数の発熱素子（図示せず）を、複数の番号入力用操作キー９６のキー下面の中央部、又は当該中央部からずらして接触させて配置する。
【０５８５】
そして本発明は、暗証番号が入力される際、複数の番号入力用操作キー９６を加熱して、当該複数の番号入力用操作キー９６各々の操作面９６Ａにおいて中央や当該中央からずれた所定形状の部分（図中の斜線部分）のみを目標温度まで上昇させるようにして、これら複数の番号入力用操作キー９６の操作面９６Ａの温度をほぼ等しく変化させるようにしても良い。
【０５８６】
本発明は、このような構成によれば、暗証番号が入力される際、複数の番号入力用操作キー９６の操作面９６Ａの温度がそれぞれ、あたかも押下操作による手の指先の接触によって部分的に変化したように偽装することができる。
【０５８７】
よって本発明は、係る構成によれば、暗証番号が入力される際、第三者によりサーモグラフィが用いられて複数の番号入力用操作キー９６の操作面９６Ａの温度が検出されても、その検出した温度からでは、暗証番号の入力のために実際に押下操作された番号入力用操作キー９６を特定し得なくすることができる。
【０５８８】
従って本発明は、係る構成によっても、第三者による暗証番号の不正な取得をほぼ確実に防止することができる。
【０５８９】
（３−６）他の実施の形態６
さらに上述した第１及び第２の実施の形態においては、主制御部２０、７２が近接センサ２３を介して、顧客が現金自動預払機１に近づいて入力部６、７１と対峙したことを検出して、スピーカ２２を介して受付音声を出力した後、複数の番号入力用操作キー４０の加熱を開始するようにした場合について述べた。
【０５９０】
しかしながら本発明は、これに限らず、主制御部２０、７２が近接センサ２３を介して、顧客が現金自動預払機１、７０に近づいて入力部６、７１と対峙したことを検出したときや、顧客によりカードが挿入されたとき、顧客により取引項目か選択されたとき、顧客により暗証番号が入力された直後、顧客に出金用の紙幣を受け取らせるとき、さらには主制御部２０、７２が近接センサ２３を介して、出金用の紙幣を受け取った顧客が現金自動預払機１、７０の前から離れたことを検出したとき等のように、この他種々のタイミングで、複数の番号入力用操作キー４０の加熱を開始するようにしても良い。
【０５９１】
また本発明は、例えば、温度制御部６３、８５を、近接センサ２３を介して、顧客が現金自動預払機１、７０に近づいて入力部６、７１と対峙したことや、当該近接センサ２３を介して、顧客が現金自動預払機１、７０の前から離れたことを検出し得るように構成する。
【０５９２】
そして本発明は、温度制御部６３、８５が近接センサ２３を介して、顧客が現金自動預払機１、７０に近づいて入力部６、７１と対峙したことを検出し、又は近接センサ２３を介して、顧客が現金自動預払機１、７０の前から離れたことを検出して、その検出に応じて複数の番号入力用操作キー４０の加熱を開始するようにしても良い。
【０５９３】
（３−７）他の実施の形態７
さらに上述した第１及び第２の実施の形態においては、複数の番号入力用操作キー４０の加熱を開始するとき、複数の発熱素子５１Ａ乃至５１Ｊに規定電流値の発熱制御電流を供給して発熱させるようにした場合について述べた。
【０５９４】
しかしながら本発明は、これに限らず、例えば、複数の番号入力用操作キー４０の操作面実温度に応じて、予め発熱制御電流の複数の電流値を、当該操作面実温度が低いほど大きい値となるように選定しておく。
【０５９５】
そして本発明は、例えば、複数の番号入力用操作キー４０の加熱を開始するとき、操作面実温度（すなわち、複数の番号入力用操作キー４０を加熱する直前の操作面実温度）を検出して、複数の電流値のうち、当該検出した操作面実温度に対応する電流値の発熱制御電流を複数の発熱素子５１Ａ乃至５１Ｊに供給して発熱させるようにしても良い。
【０５９６】
また本発明は、例えば、現金自動預払機１、７０の周囲の温度に応じて、予め発熱制御電流の複数の電流値を、当該周囲の温度が低いほど大きい値となるように選定しておく。
【０５９７】
そして本発明は、例えば、複数の番号入力用操作キー４０の加熱を開始するとき、現金自動預払機１、７０の周囲の温度を検出して、複数の電流値のうち、当該検出した周囲の温度に対応する電流値の発熱制御電流を複数の発熱素子５１Ａ乃至５１Ｊに供給して発熱させるようにしても良い。
【０５９８】
本発明は、係る構成によれば、例えば、複数の番号入力用操作キー４０を加熱した場合、当該複数の番号入力用操作キー４０の加熱直前の操作面４０Ａの温度によらず、ほぼ等しい加熱時間で操作面実温度を目標温度まで上昇させることができる。
【０５９９】
（３−８）他の実施の形態８
さらに上述した第１及び第２の実施の形態においては、複数の発熱素子５１Ａ乃至５１Ｊを、当該複数の発熱素子５１Ａ乃至５１Ｊの表面を複数の番号入力用操作キー４０のキー下面４０Ｂに接触させて配置するようにした場合について述べた。
【０６００】
しかしながら本発明は、これに限らず、操作連動部４６の複数の番号入力用押子４６Ｂにおいて基板配置用凹部４６ＢＹの深さを、上述した第１及び第２の実施の形態の場合よりも深くして、複数の発熱素子５１Ａ乃至５１Ｊの表面を複数の番号入力用操作キー４０のキー下面４０Ｂから離隔させて、当該複数の発熱素子５１Ａ乃至５１Ｊを配置するようにしても良い。
【０６０１】
また本発明は、操作連動部４６の複数の番号入力用押子４６Ｂにおいて基板配置用凹部４６ＢＹの底に発熱用配線基板５０、７５を埋設することで、複数の発熱素子５１Ａ乃至５１Ｊの表面を複数の番号入力用操作キー４０のキー下面４０Ｂから離隔させて、当該複数の発熱素子５１Ａ乃至５１Ｊを配置するようにしても良い。
【０６０２】
さらに本発明は、複数の番号入力用操作キー４０のキー下面４０Ｂから離隔させた複数の発熱素子５１Ａ乃至５１Ｊの表面と共に発熱用配線基板５０、７５の一面を絶縁シートで被覆して保護するようにしても良い。
【０６０３】
（３−９）他の実施の形態９
さらに上述した第１及び第２の実施の形態においては、現金自動預払機１、７０の主制御部２０、７２が、内部のメモリに予め記憶された第１及び第２取引案内処理プログラムに従い、図７（Ａ）及び図８（Ａ）、図１３（Ａ）乃至図１５（Ａ）、図１７（Ａ）乃至図１９（Ａ）について上述した第１及び第２取引案内処理手順ＲＴ１、ＲＴ３を実行するようにした場合について述べた。
【０６０４】
また上述した第１及び第２の実施の形態においては、入力部６、７１の温度制御部６３、８５が、内部のメモリに予め記憶された第１乃至第３温度変化処理プログラムに従い、図７（Ｂ）及び図８（Ｂ）、図１３（Ｂ）乃至図１５（Ｂ）、図１７（Ｂ）乃至図１９（Ｂ）について上述した第１乃至第３温度変化処理手順ＲＴ２、ＲＴ４、ＲＴ５を実行するようにした場合について述べた。
【０６０５】
しかしながら本発明は、これに限らず、現金自動預払機１、７０が第１及び第２取引案内処理プログラムの記憶されたコンピュータ読取可能な記憶媒体によって当該第１及び第２取引案内処理プログラムをインストールするようにしても良い。
【０６０６】
また本発明は、入力部６、７１が第１乃至第３温度変化処理プログラムの記憶されたコンピュータ読取可能な記憶媒体によって当該第１乃至第３温度変化処理プログラムをインストールするようにしても良い。
【０６０７】
そして主制御部２０、７２や温度制御部６３、８５が、そのインストールした第１及び第２取引案内処理プログラムや第１乃至第３温度変化処理プログラムに従って第１及び第２取引案内処理手順ＲＴ１、ＲＴ３や第１乃至第３温度変化処理手順ＲＴ２、ＲＴ４、ＲＴ５を実行するようにしても良い。
【０６０８】
また現金自動預払機１、７０や入力部６、７１は、ローカルエリアネットワークやインターネット、デジタル衛星放送等の有線及び無線通信媒体を利用して外部から第１及び第２取引案内処理プログラムや第１乃至第３温度変化処理プログラムをインストールするようにしても良い。
【０６０９】
そして第１及び第２取引案内処理プログラムや第１乃至第３温度変化処理プログラムを現金自動預払機１、７０や入力部６、７１にインストールして実行可能な状態にするためのコンピュータ読取可能な記憶媒体としては、例えば、フレキシブルディスクのようなパッケージメディアで実現しても良い。
【０６１０】
また第１及び第２取引案内処理プログラムや第１乃至第３温度変化処理プログラムを現金自動預払機１、７０や入力部６、７１にインストールして実行可能な状態にするためのコンピュータ読取可能な記憶媒体としては、例えば、ＣＤ−ＲＯＭ（Compact  Disc-Read  Only  Memory）のようなパッケージメディアで実現しても良い。
【０６１１】
さらに第１及び第２取引案内処理プログラムや第１乃至第３温度変化処理プログラムを現金自動預払機１、７０や入力部６、７１にインストールして実行可能な状態にするためのコンピュータ読取可能な記憶媒体としては、例えば、ＤＶＤ（Digital  Versatile  Disc）等のパッケージメディアで実現しても良い。
【０６１２】
さらに、係るコンピュータ読取可能な記憶媒体としては、パッケージメディアのみならず、各種プログラムが一時的もしくは永続的に記憶される半導体メモリや磁気ディスク等で実現しても良い。
【０６１３】
また、これらコンピュータ読取可能な記憶媒体に第１及び第２取引案内処理プログラムや第１乃至第３温度変化処理プログラムを記憶する手段としては、ローカルエリアネットワークやインターネット、デジタル衛星放送等の有線及び無線通信媒体を利用するようにしても良い。
【０６１４】
さらにコンピュータ読取可能な記憶媒体には、ルータやモデム等の各種通信インタフェースを介して第１及び第２取引案内処理プログラムや第１乃至第３温度変化処理プログラムを記憶するようにしても良い。
【０６１５】
（３−１０）他の実施の形態１０
さらに上述した第１及び第２の実施の形態においては、本発明による入力装置を、図１乃至図２２について上述した現金としての紙幣を扱う現金自動預払機１、７０に設けられた入力部６、７１に適用するようにした場合について述べた。
【０６１６】
しかしながら本発明は、これに限らず、現金として紙幣及び硬貨を扱う現金自動預払機に設けられ、暗証番号の入力用に押下操作可能な操作キーを有する入力部や、現金自動支払機（CD：Cash  Dispenser）に設けられ、暗証番号の入力用に押下操作可能な操作キーを有する入力部、入出管理装置に設けられ、暗証番号の入力用に押下操作可能な操作キーを有する入力部、カードの差込口と、暗証番号の入力用に押下操作可能な操作キーを有するカード処理端末等のように、この他種々の構成の入力装置に広く適用することができる。
【０６１７】
（３−１１）他の実施の形態１１
さらに上述した第１及び第２の実施の形態においては、本発明による紙葉類取扱装置を、図１乃至図２２について上述した現金としての紙幣を扱う現金自動預払機１、７０に適用するようにした場合について述べた。
【０６１８】
しかしながら本発明は、これに限らず、現金として紙幣及び硬貨を扱う現金自動預払機や、現金自動支払機等のように、暗証番号の入力用に押下操作可能な操作キーを有する入力部が設けられた、この他種々の紙葉類取扱装置に広く適用することができる。
【０６１９】
（３−１２）他の実施の形態１２
さらに上述した第１及び第２の実施の形態においては、それぞれ操作面に手の指先を接触させるようにして押下操作可能な複数の操作キーを介して入力される認証用文字列として、図１乃至図２２について上述した所定桁の数字である暗証番号を適用するようにした場合について述べた。
【０６２０】
しかしながら本発明は、これに限らず、個人認証用として数字や記号、アルファベット、仮名等の複数の文字を組み合わせて形成された認証用文字列のように、この他種々の認証用文字列を広く適用することができる。
【０６２１】
（３−１３）他の実施の形態１３
さらに上述した第１及び第２の実施の形態においては、認証用文字列の入力用に、それぞれ操作面に手の指先を接触させるようにして押下操作可能な複数の操作キーとして、図１乃至図２２について上述したアルミニウムやステンレスによって形成された番号入力用操作キー４０、８７、８８、８９、９２、９６を適用するようにした場合について述べた。
【０６２２】
しかしながら本発明は、これに限らず、樹脂材によって円形や楕円形等の形状に形成された操作キーや、アルミニウム及びステンレス以外の金属によって円形や楕円形等の形状に形成された操作キー等のように、この他種々の形状及び材質の操作キーを広く適用することができる。
【０６２３】
（３−１４）他の実施の形態１４
さらに上述した第１及び第２の実施の形態においては、認証用文字列が入力される際、複数の操作キーの操作面の温度を変化させてほぼ等しくする温度変化部として、図１乃至図２２について上述した温度変化部６０、７９を適用するようにした場合について述べた。
【０６２４】
しかしながら本発明は、これに限らず、一部の処理をソフトウェアによって実行する温度変化部を広く適用することができる。
【０６２５】
また本発明は、これに限らず、複数の発熱素子５１Ａ乃至５１Ｊに換えて、複数の番号入力用操作キー４０、８７、８８、８９、９２、９６の操作面実温度を体温よりも下げるための又は体温より高い操作面実温度を体温程度まで下げるための複数の冷却素子が設けられた温度変化部を適用することもできる。
【０６２６】
さらに本発明は、これに限らず、複数の番号入力用操作キー４０、８７、８８、８９、９２、９６について体温より低い操作面実温度を体温程度まで上げるための複数の発熱素子５１Ａ乃至５１Ｊと、体温より高い操作面実温度を体温程度まで下げるための複数の冷却素子とが設けられ、例えば、これら複数の番号入力用操作キー４０、８７、８８、８９、９２、９６の加熱開始直前の操作面実温度に応じて、複数の発熱素子５１Ａ乃至５１Ｊと複数の冷却素子とを使い分けるような温度変化部等のように、この他種々の構成の温度変化部を適用することもできる。
【０６２７】
（３−１５）他の実施の形態１５
さらに上述した第１及び第２の実施の形態においては、複数の操作キーをそれぞれ加熱するための複数の発熱素子として、図１乃至図２２について上述した抵抗発熱体でなる発熱素子５１Ａ乃至５１Ｊを適用するようにした場合について述べた。
【０６２８】
しかしながら本発明は、これに限らず、複数の操作キーを加熱して操作面実温度を体温程度まで上げることができれば、赤外線ヒータや熱電素子等のように、この他種々の構成の発熱素子を広く適用することができる。
【０６２９】
（３−１６）他の実施の形態１６
さらに上述した第１及び第２の実施の形態においては、認証用文字列が入力される際、複数の発熱素子を発熱させて複数の操作キーを加熱する加熱処理部として、図１乃至図２２について上述した加熱処理部５４、７８を適用するようにした場合について述べた。
【０６３０】
しかしながら本発明は、これに限らず、一部の処理をソフトウェアによって実行する加熱処理部のように、この他種々の構成の加熱処理部を広く適用することができる。
【０６３１】
（３−１７）他の実施の形態１７
さらに上述した第１及び第２の実施の形態においては、複数の操作キーの操作面の温度をそれぞれ検出するための複数の温度センサとして、図１乃至図２２について上述したサーミスタでなる温度センサ７６Ａ乃至７６Ｊを適用するようにした場合について述べた。
【０６３２】
しかしながら本発明は、これに限らず、白金センサや熱電対等のように、この他種々の構成の温度センサを広く適用することができる。
【産業上の利用可能性】
【０６３３】
本発明は、現金自動預払機や入出管理装置等に設けられる入力装置と、現金自動預払機や現金自動支払機等の紙葉類取扱装置とに利用することができる。
【符号の説明】
【０６３４】
１、７０……現金自動預払機、６、７１、９０、９５、９７……入力部、２０、７２……主制御部、４０、８７、８８、８９、９２、９６……番号入力用操作キー、４０Ａ、８７Ａ、８８Ａ、８９Ａ、９２Ａ、９６Ａ……操作面、５１Ａ乃至５１Ｊ……発熱素子、５４、７８……加熱処理部、６０、７９……温度変化部、６１、８３Ａ乃至８３Ｊ……電流値設定回路、６２、８４Ａ乃至８４Ｊ……デジタルアナログ変換回路、６３、８５……温度制御部、７６Ａ乃至７６Ｊ……温度センサ、８０Ａ乃至８０Ｊ……アナログデジタル変換回路、８１……温度検出比較回路、８２……温度情報保持部、ＲＴ１……第１取引案内処理手順、ＲＴ２……第１温度変化処理手順、ＲＴ３……第２取引案内処理手順、ＲＴ４……第２温度変化処理手順、ＲＴ５……第３温度変化処理手順。
【図１】
2014016767.tif 000003
【図２】
2014016767.tif 000004
【図３】
2014016767.tif 000005
【図４】
2014016767.tif 000006
【図５】
2014016767.tif 000007
【図６】
2014016767.tif 000008
【図７】
2014016767.tif 000009
【図８】
2014016767.tif 000010
【図９】
2014016767.tif 000011
【図１０】
2014016767.tif 000012
【図１１】
2014016767.tif 000013
【図１２】
2014016767.tif 000014
【図１３】
2014016767.tif 000015
【図１４】
2014016767.tif 000016
【図１５】
2014016767.tif 000017
【図１６】
2014016767.tif 000018
【図１７】
2014016767.tif 000019
【図１８】
2014016767.tif 000020
【図１９】
2014016767.tif 000021
【図２０】
2014016767.tif 000022
【図２１】
2014016767.tif 000023
【図２２】
2014016767.tif 000024
【図２３】
2014016767.tif 000025